(57)【要約】本明細書において、固体の繊維処理組成物；1種または複数種の着色剤安定化剤で安定化された着色剤を含む組成物；1種または複数種の着色剤安定化剤で安定化される必要がない着色剤を含む組成物；固体の洗浄サイクルコンディショニング剤；液体の繊維処理組成物；これらを含むクリーニング剤組成物；これらの作製法；繊維をこれらで処理する方法；これらで処理した繊維；当該組成物を含む容器；および、組成物がその販売有効期限に達したかまたは超えた時を視覚的に示す方法を提供する。【特許請求の範囲】
【請求項１】
（a）水溶性担体を含む水溶性核；
（b）（i）水溶性ポリマー；
（ii）着色剤；および
（iii）着色剤安定化剤
を含む、該水溶性核を少なくとも部分的に覆うコーティング；ならびに
（c）該コーティングの外側表面上で部分的または完全に露出されるように該コーティングと物理的に結合されている流動性補助剤
を含む、固体の繊維処理組成物。
【請求項２】
前記コーティングが香料をさらに含む、請求項1記載の固体の繊維処理組成物。
【請求項３】
前記香料が、エステル、エーテル、アルデヒド、ケトン、アルコール、炭化水素、またはそれらの任意の組み合わせを含む、請求項2記載の固体の繊維処理組成物。
【請求項４】
前記香料の少なくとも一部がカプセル化されている、請求項2または3記載の固体の繊維処理組成物。
【請求項５】
前記カプセル化された香料の少なくとも一部が、マイクロカプセル中にカプセル化されている、請求項4記載の固体の繊維処理組成物。
【請求項６】
前記マイクロカプセルが水溶性である、請求項5記載の固体の繊維処理組成物。
【請求項７】
前記マイクロカプセルが水溶性ではない、請求項5記載の固体の繊維処理組成物。
【請求項８】
前記コーティングが香料を含まない、請求項1記載の固体の繊維処理組成物。
【請求項９】
香料を含まない、請求項1または8記載の固体の繊維処理組成物。
【請求項１０】
前記流動性補助剤が布地柔軟剤を含む、請求項1、2または3のいずれか一項記載の固体の繊維処理組成物。
【請求項１１】
前記布地柔軟剤が、ポリシロキサン、繊維柔軟化クレー、カチオンポリマー、またはそれらの任意の組み合わせであり；ただし前記組成物がクレーおよびカチオンポリマーを含まない、請求項10記載の固体の繊維処理組成物。
【請求項１２】
前記布地柔軟剤がポリシロキサンである、請求項11記載の固体の繊維処理組成物。
【請求項１３】
前記布地柔軟剤が繊維柔軟化クレーである、請求項11記載の固体の繊維処理組成物。
【請求項１４】
前記繊維柔軟化クレーがスメクタイトクレーである、請求項13記載の固体の繊維処理組成物。
【請求項１５】
前記スメクタイトクレーが、バイデライトクレー、ベントナイトクレー、ヘクトライトクレー、ラポナイトクレー、モンモリロナイトクレー、ノントロナイトクレー、サポナイトクレー、ソーコナイトクレー、またはそれらの任意の組み合わせである、請求項14記載の固体の繊維処理組成物。
【請求項１６】
前記スメクタイトクレーが、ラポナイトクレーまたはベントナイトクレーである、請求項15記載の固体の繊維処理組成物。
【請求項１７】
前記流動性補助剤が布地柔軟剤を含まない、請求項1、2または3のいずれか一項記載の固体の繊維処理組成物。
【請求項１８】
漂白剤、漂白活性化剤、酵素、シリコーン油、再付着防止剤、蛍光増白剤、灰色化阻害剤、防縮剤、防しわ剤、色移り防止剤、抗菌剤、殺菌剤、殺真菌剤、抗酸化剤、帯電防止剤、アイロン補助剤、防水剤、含浸剤、膨潤剤、すべり防止剤、UV吸収剤、腐食防止剤、またはそれらの任意の組み合わせをさらに含む、請求項1、2または3のいずれか一項記載の固体の繊維処理組成物。
【請求項１９】
前記水溶性担体が、水溶性無機アルカリ金属塩、水溶性有機アルカリ金属塩、水溶性無機アルカリ土類金属塩、水溶性有機アルカリ土類金属塩、水溶性炭水化物、水溶性ケイ酸塩、水溶性尿素、またはそれらの任意の組み合わせである、請求項1記載の固体の繊維処理組成物。
【請求項２０】
前記水溶性担体が、塩化ナトリウム、塩化カリウム、塩化カルシウム、塩化マグネシウム、硫酸ナトリウム、硫酸カリウム、硫酸マグネシウム、炭酸ナトリウム、炭酸カリウム、炭酸水素ナトリウム、炭酸水素カリウム、酢酸ナトリウム、酢酸カリウム、クエン酸ナトリウム、クエン酸カリウム、酒石酸ナトリウム、酒石酸カリウム、酒石酸カリウムナトリウム、乳酸カルシウム、水ガラス、ケイ酸ナトリウム、ケイ酸カリウム、デキストロース、フルクトース、ガラクトース、イソグルコース、グルコース、スクロース、ラフィノース、イソマルト、キシリトール、氷砂糖、粗製糖、またはそれらの任意の組み合わせである、請求項1記載の固体の繊維処理組成物。
【請求項２１】
前記水溶性担体が塩化ナトリウムである、請求項1記載の固体の繊維処理組成物。
【請求項２２】
前記水溶性核が水溶性担体からなる、請求項1記載の固体の繊維処理組成物。
【請求項２３】
前記水溶性担体が微粒子である、請求項1記載の固体の繊維処理組成物。
【請求項２４】
前記コーティングが前記水溶性核を完全に取り囲む、請求項1記載の固体の繊維処理組成物。
【請求項２５】
前記水溶性ポリマーが、ポリアルキレングリコール、ポリエチレングリコール（PEG）、ポリエチレンテレフタラート、ポリビニルアルコール、またはそれらの任意の組み合わせである、請求項1記載の固体の繊維処理組成物。
【請求項２６】
前記水溶性ポリマーが約48℃から約300℃の融点を有する、請求項1記載の固体の繊維処理組成物。
【請求項２７】
前記水溶性ポリマーが約45℃から約297℃の軟化点を有する、請求項1記載の固体の繊維処理組成物。
【請求項２８】
前記水溶性ポリマーがポリエチレングリコール（PEG）である、請求項1記載の固体の繊維処理組成物。
【請求項２９】
前記水溶性ポリマーが、約3,000から約12,000の重量平均分子量を有するポリエチレングリコール（PEG）である、請求項1記載の固体の繊維処理組成物。
【請求項３０】
前記水溶性ポリマーが、約8000の重量平均分子量を有するポリエチレングリコール（PEG）である、請求項1記載の固体の繊維処理組成物。
【請求項３１】
前記水溶性ポリマーがポリビニルアルコールである、請求項1記載の固体の繊維処理組成物。
【請求項３２】
前記水溶性ポリマーが、約20,000から約100,000の重量平均分子量を有するポリビニルアルコールである、請求項1記載の固体の繊維処理組成物。
【請求項３３】
前記コーティングが約0.0001mmから約20mmの厚さを有する、請求項1記載の固体の繊維処理組成物。
【請求項３４】
前記組成物中の着色剤が、前記着色剤安定化剤の非存在下では、約2週間から約3ヶ月の期間後に色相を変えるかまたは実質的に無色になる、請求項1記載の固体の繊維処理組成物。
【請求項３５】
前記組成物中の着色剤が、前記着色剤安定化剤の非存在下では、約2週間から約3ヶ月の期間後に色相を変える、請求項1記載の固体の繊維処理組成物。
【請求項３６】
前記組成物中の着色剤が、前記着色剤安定化剤の非存在下では、約2週間から約3ヶ月の期間後に実質的に無色になる、請求項1記載の固体の繊維処理組成物。
【請求項３７】
前記着色剤が、前記着色剤安定化剤の非存在下では、約2週間から約3ヶ月の期間後にプロトンを失って色相を変えるかまたは実質的に無色になる、請求項1記載の固体の繊維処理組成物。
【請求項３８】
前記着色剤がMilliken Liquitint着色剤である、請求項1記載の固体の繊維処理組成物。
【請求項３９】
前記着色剤が水溶性ポリマーである、請求項1記載の固体の繊維処理組成物。
【請求項４０】
前記着色剤安定化剤が1000ダルトン以下の正の分子量を有する、請求項1記載の固体の繊維処理組成物。
【請求項４１】
前記着色剤安定化剤が多糖ではない、請求項1記載の固体の繊維処理組成物。
【請求項４２】
前記着色剤安定化剤が酸性プロトンを有する、請求項1記載の固体の繊維処理組成物。
【請求項４３】
前記着色剤安定化剤がブレンステッド-ローリーの酸である、請求項1記載の固体の繊維処理組成物。
【請求項４４】
前記着色剤安定化剤が酸性プロトンを有し、かつ以下の特性：
（a）1000ダルトン以下の正の分子量；
（b）多糖ではない
のうち少なくとも1つを有する、請求項1記載の固体の繊維処理組成物。
【請求項４５】
前記着色剤安定化剤が、以下の特性：
（a）1000ダルトン以下の正の分子量；
（b）多糖ではない
のうち少なくとも1つを有するブレンステッド-ローリーの酸である、請求項1記載の固体の繊維処理組成物。
【請求項４６】
前記着色剤安定化剤が有機分子である、請求項1記載の固体の繊維処理組成物。
【請求項４７】
前記着色剤安定化剤が、-OH基、-C(O)OH基、テトラゾール、ヒドロキサミド、アシルシアナミド、スルホンアミド、ホスホナート、スルホナート、スルホンアミド、ヒドロキシイソキサゾール、オキサジアゾロン、またはそれらの任意の組み合わせである酸性基を有する、請求項1記載の固体の繊維処理組成物。
【請求項４８】
前記着色剤安定化剤が、アルキルカルボン酸、シクロアルキルカルボン酸、ヘテロシクロアルキルカルボン酸、アミノ酸、アリールカルボン酸、ヘテロアリールカルボン酸、シクロアルキルアルキルカルボン酸、アリールアルキルカルボン酸、ヘテロシクロアルキルアルキルカルボン酸、ヘテロアリールアルキルカルボン酸、sp2混成炭素に結合したアルコール、それらの任意の誘導体、またはそれらの任意の組み合わせである、請求項1記載の固体の繊維処理組成物。
【請求項４９】
前記着色剤安定化剤が、ギ酸、酢酸、プロパン酸、ブタン酸、ペンタン酸、ヘキサン酸、ヘプタン酸、オクタン酸、ノナン酸、デカン酸、シクロプロピルカルボン酸、シクロブチルカルボン酸、シクロペンチルカルボン酸、シクロヘキシルカルボン酸、シクロヘプチルカルボン酸、シクロオクチルカルボン酸、シクロノニルカルボン酸、シクロデカノイルカルボン酸、乳酸、ピルビン酸、フェノール、シュウ酸、マロン酸、コハク酸、マレイン酸、フマル酸、グルタル酸、アジピン酸、ピメリン酸、スベリン酸、アゼライン酸、セバシン酸、クエン酸、アスコルビン酸、エリソルビン酸、またはそれらの任意の組み合わせである、請求項1記載の固体の繊維処理組成物。
【請求項５０】
前記着色剤安定化剤が少なくとも1つの-C(O)OH基を含む、請求項1記載の固体の繊維処理組成物。
【請求項５１】
前記着色剤安定化剤が、ギ酸、クエン酸、乳酸、酢酸、アスコルビン酸、エリソルビン酸、またはそれらの任意の組み合わせである、請求項1記載の固体の繊維処理組成物。
【請求項５２】
前記着色剤安定化剤がクエン酸である、請求項1記載の固体の繊維処理組成物。
【請求項５３】
前記着色剤安定化剤が前記コーティング中にのみ含まれる、請求項1記載の固体の繊維処理組成物。
【請求項５４】
前記流動性補助剤が、無機アルカリ金属塩、無機アルカリ土類金属塩、ケイ酸塩、アルミノケイ酸塩、アモルファスシリカ、またはそれらの任意の組み合わせを含む、請求項1記載の固体の繊維処理組成物。
【請求項５５】
前記流動性補助剤が硫酸ナトリウムを含む、請求項1記載の固体の繊維処理組成物。
【請求項５６】
（a）約75重量％から約94重量％の水溶性担体；
（b）約5重量％から約20重量％の水溶性ポリマー；
（c）約0.0001重量％から約0.1重量％の着色剤；
（d）約0.1重量％から約4.5重量％の着色剤安定化剤；
（e）約0.1重量％から約10重量％の流動性補助剤；および
（f）0重量％から約10重量％の香料
を含み、
（g）重量％が組成物の重量に基づく、
請求項2記載の固体の繊維処理組成物。
【請求項５７】
固体の繊維処理組成物を作製する方法であって、
（a）水溶性核を少なくとも部分的にコーティングして、少なくとも部分的にコーティングされた核を生成する段階；および
（b）該少なくとも部分的にコーティングされた核に流動性補助剤を適用して、該組成物を生成する段階
を含み、
該核が水溶性担体を含み；
コーティングが、水溶性ポリマー、着色剤、着色剤安定化剤を含み；かつ
該流動性補助剤が、該コーティングの外側表面上で部分的または完全に露出されるように該コーティングと物理的に結合されている、方法。
【請求項５８】
前記コーティングが香料をさらに含む、請求項57記載の方法。
【請求項５９】
前記流動性補助剤が布地柔軟剤を含む、請求項57記載の方法。
【請求項６０】
前記コーティングが香料をさらに含み、かつ前記流動性補助剤が布地柔軟剤を含む、請求項57記載の方法。
【請求項６１】
請求項57記載の方法で作製された固体の繊維処理組成物。
【請求項６２】
請求項58記載の方法で作製された固体の繊維処理組成物。
【請求項６３】
請求項59記載の方法で作製された固体の繊維処理組成物。
【請求項６４】
請求項60記載の方法で作製された固体の繊維処理組成物。
【請求項６５】
繊維、水、および請求項2記載の固体の繊維処理組成物を混合する段階を含む、香料を繊維に適用する方法。
【請求項６６】
繊維、水、および請求項10記載の固体の繊維処理組成物を混合する段階を含む、繊維を柔軟化する方法。
【請求項６７】
繊維、水、および請求項64記載の固体の繊維処理組成物を混合する段階を含む、香料を繊維に適用しかつ繊維を柔軟化する方法。
【請求項６８】
洗剤および請求項1記載の固体の繊維処理組成物を含む、クリーニング剤組成物。
【請求項６９】
前記洗剤が界面活性剤をさらに含む、請求項68記載のクリーニング剤組成物。
【請求項７０】
洗剤と、請求項1記載の固体の繊維処理組成物とを組み合わせる段階を含む、クリーニング剤組成物を作製する方法。
【請求項７１】
請求項70記載の方法で作製されたクリーニング剤組成物。
【請求項７２】
繊維を請求項71記載のクリーニング剤組成物でクリーニングする段階を含む、繊維をクリーニングする方法。
【請求項７３】
請求項65記載の方法で香りをつけられた繊維。
【請求項７４】
請求項66記載の方法で柔軟化された繊維。
【請求項７５】
請求項67記載の方法で柔軟化されかつ香りをつけられた繊維。
【請求項７６】
請求項72記載の方法でクリーニングされた繊維。
【請求項７７】
請求項1記載の組成物を含む容器。
【請求項７８】
粒状組成物中の着色剤を安定化する方法であって、該粒状組成物に着色剤安定化剤を組み込むことにより該着色剤を安定化する段階を含む、方法。
【請求項７９】
前記着色剤を安定化する段階が、着色剤の色相を変えないことを含む、請求項78記載の方法。
【請求項８０】
前記着色剤を安定化する段階が、着色剤の彩度を変えないことを含む、請求項78記載の方法。
【請求項８１】
粒状組成物が実質的に無色になることによって、該粒状組成物がその販売有効期限を超えた時を視覚的に示す方法であって、着色剤を着色剤安定化剤で安定化する段階を含み；該粒状組成物中の該着色剤および該着色剤安定化剤の両方によって、該組成物がその販売有効期限に達する頃まで該着色剤が実質的に無色にならない、方法。
【請求項８２】
水溶性の単一区画容器；ならびに
香料含有組成物および布地柔軟化組成物からなる群より選択される少なくとも1種の固体の繊維処理組成物
を含む、単位用量の固体の繊維処理組成物。
【請求項８３】
前記単一区画容器が、水溶性ポリマーまたは膜から生成された、形成された密封小袋である、請求項82記載の組成物。
【請求項８４】
前記単一区画小袋がポリビニルアルコール（PVOH）膜から生成されている、請求項83記載の組成物。
【請求項８５】
塩担体と、1種または複数種の芳香剤または香料と、流動性補助剤とを含む、請求項82記載の組成物。
【請求項８６】
黄血ソーダ（YPS）を伴う天日塩、High Five ACM 190991 F香料、Super Soft Pop 190870香料およびAcid Blue 80染料を含む、請求項85記載の組成物。
【請求項８７】
水をさらに含む、請求項85記載の組成物。
【請求項８８】
布地に芳香剤を送達する方法であって、洗浄サイクル中に該布地を請求項82記載の単位用量の繊維処理組成物と接触させる段階、および該布地を乾燥する段階を含む、方法。
【発明の詳細な説明】
【技術分野】
【０００１】
発明の分野
本出願は、固体または液体の繊維処理組成物、ならびにそれらの使用および製造に関する。本出願は、固体または液体の繊維処理組成物を用いるクリーニング剤組成物、ならびにそれらの使用および製造にも関する。
【背景技術】
【０００２】
関連技術の説明
繊維は繰り返し洗浄することによって硬くなることがある。同様に、洗浄後、繊維は望ましくない臭いを有することがある。それらの柔軟性を回復する、それらの香りを改善する、または他の望ましい特性を付与するために、繊維をそれらの洗浄とは別の追加の工程で処理することがよくある。繊維処理組成物は洗浄剤と適合性ではないことが多いため、処理は別にする。これらの追加の工程は、例えば、洗濯機内で追加のすすぎサイクル中に、または乾燥機内で行うことができる。しかし、別の処理には欠点がある。例えば、繊維を液体布地柔軟剤で処理する場合、追加のすすぎサイクルが必要となり得、これは余分の水および洗濯機に動力を供給するための電気を使用する。余分の水および電気の使用は、環境にとって有害であり得る。また、別の処理は、液体布地柔軟剤などの液体組成物を用いるものもある。これらの液体組成物は過剰な重量を含み、不活性成分、すなわち水によって付与される過剰な体積を有する。液体組成物中の水は液体組成物の輸送を高価にし、過剰な容器廃棄物を生じ得る。
【０００３】
米国特許出願公開第2009/0082244号（特許文献1）（「'244号出願」）は、水溶性担体、繊維柔軟化クレーおよび繊維または皮膚ケア化合物を含む、固体の繊維または皮膚ケア組成物に関する。'244号出願の組成物は着色剤を含み得る。好ましい着色剤は、高い貯蔵安定性を有し、他の組成物成分によって影響を受けず、処理した繊維に着色しないと言われている。
【０００４】
米国特許出願公開第2009/0042766号（特許文献2）（「'766号出願」）は、水溶性担体、繊維ケア化合物、および香料を有する、固体の繊維ケア組成物に関する。固体の繊維ケア組成物は、微粒子の形態で存在してもよく、洗浄またはクリーニング組成物に含まれてもよい。'766号出願の組成物は色素または染料を含み得る。好ましい染料は、高い貯蔵安定性を有し、他の組成物成分および光線に非感受性で、処理した繊維に着色しないと言われている。
【０００５】
米国特許出願公開第2011/0082066号（特許文献3）（「'066号出願」）は、水溶性担体、水溶性ポリマー、布地ケア化合物、多糖および芳香剤を含む固体の布地ケア組成物を記載している。水溶性担体は粒子の形態で、コーティングされており、多糖が少なくとも部分的にコーティングに組み込まれている。固体の布地ケア組成物は洗浄またはクリーニング製品に含まれ得る。'066号出願の固体の布地ケア組成物は着色されていてもよい。'066号出願は、「・・・セルロースまたはその誘導体は着色した固体の布地ケア組成物の色安定性を高める」ことを開示している。
【０００６】
したがって、繊維を洗浄している間に洗剤存在下で用いることができる、固体の繊維処理組成物がまだ必要とされている。
【先行技術文献】
【特許文献】
【０００７】
【特許文献１】米国特許出願公開第2009/0082244号
【特許文献２】米国特許出願公開第2009/0042766号
【特許文献３】米国特許出願公開第2011/0082066号
【発明の概要】
【０００８】
提供する組成物、組成物を含む容器、方法、および処理した繊維は例示であって、特許請求する態様の範囲を限定する意図はない。
【０００９】
特許請求する態様の1つの局面は、固体または液体組成物中の着色剤を安定化するための着色剤安定化剤の使用である。本明細書に記載のとおり、安定であると広く考えられている着色剤は、実は、固体の繊維処理組成物（「STTC」）などの固体微粒子組成物中で不安定であり、液体組成物中で不安定であることが判明した。本発明者らは、セルロースまたはセルロース誘導体ではない着色剤安定化剤を用いて、STTCなどの固体微粒子組成物、および同様に液体組成物中の着色剤を安定化し得ることを見いだした。固体組成物、微粒子組成物、および液体組成物において、退色した着色剤をセルロースまたはセルロース誘導体ではない着色剤安定化剤の添加により「復色」し得ることも判明した。
【００１０】
1つの態様において、固体の繊維処理組成物（「STTC」）を提供する。STTCは核、核を少なくとも部分的に取り囲むコーティング、およびコーティングの外側表面上で部分的または完全に露出されるようにコーティングと物理的に結合されている流動性補助剤を含む。核は、水溶性担体であり得る担体を含むこともできる。核は水溶性であり得る。コーティングは、水溶性ポリマー、着色剤、および着色剤安定化剤を含み得る。コーティングは、香料（本明細書において交換可能かつ等価に芳香剤と呼んでもよい）も含み得る。流動性補助剤は布地柔軟剤を含み得る。
【００１１】
核、水溶性核、担体、水溶性担体、またはSTTCは粒子であり得る。粒子は流動性であり得る。粒子は小さくてもよい。したがって、STTCは流動性の小粒子であり得る。
【００１２】
さらなる態様において、洗剤およびSTTCを含むクリーニング剤組成物を提供する。洗剤は界面活性剤を含み得る。
【００１３】
別の提供される態様は、クリーニング剤組成物またはSTTCを含む容器である。そのような容器には、ポリビニルアルコール（PVOH）膜などの薄膜を含む、または薄膜から作られた、小袋または他の容器形態が含まれ得るが、それらに限定されるわけではない。特定のそのような態様において、クリーニング剤組成物またはSTTCを含む容器は、洗浄サイクルの開始時に洗濯機に加えるのに適した1回用量パッケージの形態であり得る。
【００１４】
さらなる態様は、繊維にSTTCで香りをつける方法である。
【００１５】
別の態様は、繊維をSTTCで柔軟化する方法である。
【００１６】
別の態様は、繊維にSTTCで香りをつける、例えば、繊維に芳香剤を送達する方法である。
【００１７】
さらに別の態様は、繊維にSTTCで香りをつけ、繊維を柔軟化する方法である。
【００１８】
さらなる態様は、繊維をクリーニング剤組成物でクリーニングする方法である。
【００１９】
別の態様は、STTCでクリーニングされた、または香りをつけられた、または柔軟化された繊維である。
【００２０】
さらなる態様は、クリーニング剤組成物でクリーニングされた繊維である。
【００２１】
さらなる態様は、粒状組成物中、または固体組成物中、または液体組成物中の着色剤を安定化する方法であり、ここで着色剤は着色剤安定化剤を組成物に組み込むことにより安定化される。
【００２２】
別の態様は、粒状組成物または固体組成物または液体組成物が実質的に無色になるかどうか、または無色になる時を決定することによって、当該組成物がその販売有効期限に達したかまたは超えた時を視覚的に示す方法である。
【００２３】
さらなる態様は、クリーニング剤組成物の作製法であって、洗剤をSTTC、固体組成物、液体組成物、または粒状組成物と混和する段階を含む方法を含む。
【００２４】
さらなる態様は、STTCの作製法であって、核を少なくとも部分的にコーティングしてコーティングした核を生成する段階および少なくとも部分的にコーティングした核に流動性補助剤を適用してSTTCを生成する段階を含む方法を含む。
【００２５】
別の態様は、これらの方法によって作製されたクリーニング剤組成物またはSTTCを含む。
【００２６】
さらなる態様は、下記を含む固体の繊維処理組成物（「STTC」）である：
水溶性担体を含む水溶性核；
水溶性核を少なくとも部分的に覆うコーティングであって、水溶性ポリマーを含むコーティング；
Acid Blue 80、Acid Red 52、Acid Violet 48、およびその組み合わせからなる群より選択される着色剤；ならびに
コーティングの外側表面上で部分的または完全に露出されるようにコーティングと物理的に結合されている流動性補助剤；ここで組成物は着色剤安定化剤を含まない。驚くことに、Acid Blue 80、Acid Red 52、およびAcid Violet 48はSTTC中で経時的に著しい変色を示さず、それにより着色剤安定化剤を必要としないことが判明した。
【００２７】
さらなる態様は：a）EO/POブロックコポリマー、もしくはポリソルベート、またはこれらの材料の組み合わせであり得る非イオン性界面活性剤であって、約25℃で固体であり、約20以上のHLB値を有し得、かつ約3,000から約12,000の重量平均分子量を有し得る非イオン性界面活性剤；およびb）例えば、4級アンモニウム塩であり得る布地コンディショニング剤を含む、固体の洗浄サイクルコンディショニング剤（「SWCCA」）を含む。SWCCAは任意に1種もしくは複数種の可塑剤；1種もしくは複数種の着色剤；1種もしくは複数種の着色剤安定化剤；および/または1種もしくは複数種の香料を含み得る。驚くことに、固体の洗浄サイクルコンディショニング剤は、洗濯洗浄サイクルにおいて冷水中に溶解する能力を有することが明らかにされている。SWCCAの粒径に依存して、SWCCAは任意に、例えば、粒径が大きくなるにつれて、崩壊剤を含んでいてもよい。SWCCAは、香錠、結晶、粉末、微粉化粉末、噴霧乾燥粉末、凝集粉末、チェッカー、円板および錠剤を含む、様々な形状を取り得る。
【００２８】
別の態様は、SWCCAの作製法を含む。
【００２９】
さらなる態様は、繊維をSWCCAで処理する方法を含む。
【００３０】
さらなる態様は、単位用量の形態のSWCCAを含む。
【００３１】
さらなる態様は、単位用量を含む。
【００３２】
さらなる態様は、液体の繊維処理組成物（「LTTC」）を含む。LTTCは：a）1種または複数種のポリエチレングリコール；b）例えば、ポリオールであり得る、1種または複数種のアルコール；c）水；d）例えば、4級アンモニウム塩であり得る、布地コンディショニング剤を含む。LTTCは任意に、1種もしくは複数種の着色剤；1種もしくは複数種の着色剤安定化剤；および/または1種もしくは複数種の香料を含み得る。
【００３３】
さらなる態様は、LTTCの作製法を含む。
【００３４】
別の態様は、繊維をLTTCで処理する方法を含む。
【図面の簡単な説明】
【００３５】
【図１】異なる物理的形態の本発明の態様を示す。
【発明を実施するための形態】
【００３６】
発明の詳細な説明
定義
本明細書において開示する様々な局面、態様、および選択肢はすべて、特に記載がないかぎり、任意のおよびすべての変形物と組み合わせることができる。
【００３７】
本明細書において用いられる「a」は、特に記載がないかぎり、1つまたは複数を意味する。
【００３８】
「含む（include）」、「含む（including）」、「含む（contain）」、「含む（containing）」などのオープンな用語は「含む（comprising）」を意味する。
【００３９】
繊維を処理する行為は、例えば：i）香料を繊維に適用すること；ii）繊維を柔軟化すること；iii）香料を繊維に適用し、繊維を柔軟化すること；iv）繊維をクリーニングすること；v）繊維を乾燥中の静電気蓄積に対して抵抗性にすること；もしくはvi）繊維をクリーニングし、香料を繊維に適用し、繊維を柔軟化し、繊維を乾燥中の静電気蓄積に対して抵抗性にすること；またはそれらの任意の組み合わせの1つまたは複数を意味し得る。
【００４０】
参照により組み入れられる特許または出版物の用語と矛盾する場合は、本出願の用語が支配する。
【００４１】
「または」なる用語は、接続的または離接的であり得る。
【００４２】
いくつかの本発明の態様は数的範囲を企図する。本明細書において提供するあらゆる数的範囲は、個別の本発明の態様としての範囲の終点を含む。数的範囲が提供される場合、その中のすべての個別の値および部分範囲は、明確に書かれているかのごとく存在する。
【００４３】
「実質的に無色」なる用語は、STTCまたは粒状組成物中の着色剤が、STTCまたは組成物が主としてその核またはコーティングまたは流動性補助剤または成分の色に見えるように、STTCまたは組成物に着色するほとんどのその能力を失っていることを意味する。
【００４４】
「無色」なる用語は、STTCまたは粒状組成物中の着色剤が、STTCまたは組成物がその核またはコーティングまたは流動性補助剤または成分の色に見えるように、STTCまたは組成物に着色するその能力を失っていることを意味する。
【００４５】
「販売有効期限」なる用語は、製品の有効期限を意味する。
【００４６】
考察
固体の繊維処理組成物
1つの態様において、固体の繊維処理組成物（「STTC」）を提供する。STTCは、例えば、繊維を処理するために用いることができる。
【００４７】
1つの態様において、STTCは、担体を組み込む核；核を少なくとも部分的に覆うコーティング；およびコーティングの外側表面上で部分的または完全に露出されるようにコーティングと物理的に結合されている流動性補助剤を有する。担体または核は水溶性であり得る。コーティングは、水溶性ポリマー、着色剤、および着色剤安定化剤を含み得る。コーティングにはさらに香料が組み込まれ得る。流動性補助剤は布地柔軟剤を含み得る。また、STTCは添加物をさらに含み得る。
【００４８】
核または水溶性核は、担体または水溶性担体以外の成分または材料を含み得る。または、核または水溶性核は担体または水溶性担体であり得る。
【００４９】
STTCは、1つの態様において、セルロース、多糖、アルギン酸、アルゲン酸（algenic acid）、またはそれらの任意の組み合わせを含まない。
【００５０】
1つの態様において、STTCは布地柔軟剤を含まない。
【００５１】
核、水溶性核、担体、水溶性担体、またはSTTCは粒子であり得る。粒子は流動性であり得る。粒子は小さくてもよい。したがって、STTCは流動性の小粒子であり得る。
【００５２】
核および担体
核は1種または複数種の担体を含んでいてもよい。担体は、例えば、無機アルカリ金属塩、無機アルカリ土類金属塩、有機アルカリ金属塩、有機アルカリ土類金属塩、炭水化物、ケイ酸塩、尿素、またはそれらの任意の組み合わせであり得る。
【００５３】
望ましい担体材料は完全に水溶性であり得る。
【００５４】
したがって、1つの態様において、核は水溶性担体を含む水溶性核である。他の態様において、核は水溶性担体からなる水溶性核である。この場合、水溶性核は水溶性担体である。
【００５５】
一方、いくつかの望ましい担体は水不溶性または部分的にのみ水溶性であり得る。したがって、いくつかの態様において、核は部分的水溶性担体または水不溶性担体を含む、またはそれらからなっていてもよい。
【００５６】
水溶性担体は、例えば、水溶性無機アルカリ金属塩、水溶性アルカリ土類金属塩、水溶性有機アルカリ金属塩、水溶性有機アルカリ土類金属塩、水溶性炭水化物、水溶性ケイ酸塩、水溶性尿素、またはそれらの任意の組み合わせであり得る。
【００５７】
アルカリ金属塩は、例えば、リチウム、ナトリウム、カリウム、ルビジウム、セシウム、フランシウム、またはそれらの任意の組み合わせの塩であり得る。
【００５８】
有用なアルカリ金属塩は、例えば、アルカリ金属のフッ化物塩、塩化物塩、臭化物塩、ヨウ化物塩、硫酸塩、硫酸水素塩、リン酸塩、リン酸一水素塩、リン酸二水素塩、炭酸塩、炭酸一水素塩、酢酸塩、クエン酸塩、乳酸塩、ピルビン酸塩、ケイ酸塩、アスコルビン酸塩、またはそれらの任意の組み合わせであり得る。
【００５９】
アルカリ金属塩には、例えば、フッ化ナトリウム、塩化ナトリウム、臭化ナトリウム、ヨウ化ナトリウム、硫酸ナトリウム、硫酸水素ナトリウム、リン酸ナトリウム、リン酸一水素ナトリウム、リン酸二水素ナトリウム、炭酸ナトリウム、炭酸水素ナトリウム、酢酸ナトリウム、クエン酸ナトリウム、乳酸ナトリウム、酒石酸ナトリウム、ケイ酸ナトリウム、アスコルビン酸ナトリウム、フッ化カリウム、塩化カリウム、臭化カリウム、ヨウ化カリウム、硫酸カリウム、硫酸水素カリウム、リン酸カリウム、リン酸一水素カリウム、リン酸二水素カリウム、炭酸カリウム、炭酸一水素カリウム、酢酸カリウム、クエン酸カリウム、乳酸カリウム、酒石酸カリウム、ケイ酸カリウム、アスコルビン酸カリウム、またはそれらの任意の組み合わせが含まれ得る。
【００６０】
アルカリ土類金属塩には、例えば、ベリリウム、マグネシウム、カルシウム、ストロンチウム、バリウム、ラジウム、またはそれらの任意の組み合わせの塩が含まれる。
【００６１】
アルカリ土類金属塩は、例えば、アルカリ金属のフッ化物塩、塩化物塩、臭化物塩、ヨウ化物塩、硫酸塩、硫酸水素塩、リン酸塩、リン酸一水素塩、リン酸二水素塩、炭酸塩、炭酸一水素塩、酢酸塩、クエン酸塩、乳酸塩、ピルビン酸塩、ケイ酸塩、アスコルビン酸塩、またはそれらの任意の組み合わせであり得る。
【００６２】
アルカリ土類金属塩には、例えば、フッ化マグネシウム、塩化マグネシウム、臭化マグネシウム、ヨウ化マグネシウム、硫酸マグネシウム、リン酸マグネシウム、リン酸一水素マグネシウム、リン酸二水素マグネシウム、炭酸マグネシウム、炭酸一水素マグネシウム、酢酸マグネシウム、クエン酸マグネシウム、乳酸マグネシウム、酒石酸マグネシウム、ケイ酸マグネシウム、アスコルビン酸マグネシウム、フッ化カルシウム、塩化カルシウム、臭化カルシウム、ヨウ化カルシウム、硫酸カルシウム、リン酸カルシウム、リン酸一水素カルシウム、リン酸二水素カルシウム、炭酸カルシウム、炭酸一水素カルシウム、酢酸カルシウム、クエン酸カルシウム、乳酸カルシウム、酒石酸カルシウム、ケイ酸カルシウム、アスコルビン酸カルシウム、またはそれらの任意の組み合わせが含まれ得る。
【００６３】
無機アルカリ金属塩および無機アルカリ土類金属塩などの無機塩は、炭素を含まない。
【００６４】
有機アルカリ金属塩および有機アルカリ土類金属塩などの有機塩は、炭素を含む。
【００６５】
1つの態様において、有機塩はソルビン酸のアルカリ金属塩またはアルカリ土類金属塩（すなわち、ソルビン酸塩）であり得る。ソルビン酸塩には、例えば、ソルビン酸ナトリウム、ソルビン酸カリウム、ソルビン酸マグネシウム、ソルビン酸カルシウム、またはそれらの任意の組み合わせが含まれ得る。
【００６６】
水溶性担体は、例えば、水溶性無機アルカリ金属塩、水溶性有機アルカリ金属塩、水溶性無機アルカリ土類金属塩、水溶性有機アルカリ土類金属塩、水溶性炭水化物、水溶性ケイ酸塩、水溶性尿素、またはそれらの任意の組み合わせであり得る。
【００６７】
担体または水溶性担体は、例えば、塩化ナトリウム、塩化カリウム、塩化カルシウム、塩化マグネシウム、硫酸ナトリウム、硫酸カリウム、硫酸マグネシウム、炭酸ナトリウム、炭酸カリウム、炭酸水素ナトリウム、炭酸水素カリウム、酢酸ナトリウム、酢酸カリウム、クエン酸ナトリウム、クエン酸カリウム、酒石酸ナトリウム、酒石酸カリウム、酒石酸カリウムナトリウム、乳酸カルシウム、水ガラス、ケイ酸ナトリウム、ケイ酸カリウム、デキストロース、フルクトース、ガラクトース、イソグルコース、グルコース、スクロース、ラフィノース、イソマルト、キシリトール、氷砂糖、粗製糖、またはそれらの任意の組み合わせであり得る。
【００６８】
1つの態様において、担体または水溶性担体は塩化ナトリウムである。
【００６９】
1つの態様において、担体または水溶性担体は食卓塩である。
【００７０】
1つの態様において、担体または水溶性担体はプレッツェルソルトである。
【００７１】
1つの態様において、担体または水溶性担体はクリアー（Kleer）塩である。
【００７２】
1つの態様において、担体または水溶性担体は岩塩である。
【００７３】
1つの態様において、担体または水溶性担体は海塩である。
【００７４】
1つの態様において、担体または水溶性担体はYPS（黄血ソーダ）を伴う天日塩である（Morton Salt, Inc.; Chicago, ILから入手可能）。
【００７５】
1つの態様において、担体または水溶性担体は塩化ナトリウムおよび炭酸マグネシウム、ヨウ化カリウム、カリウムイオジデート（iodidate）、またはそれらの任意の組み合わせの少なくとも1つの組み合わせである。
【００７６】
1つの態様において、核は粒子である。次いで、コーティングおよび流動性補助剤を核に適用して、同様に粒子であるSTTCを生成する。したがって、STTCは粒子の集まりであり得る。STTCは、それぞれ同じ成分を含む粒子で構成され得る。または、STTCは複数の異なるSTTC粒子の混合物であり得、ここでそれぞれ異なるSTTC粒子は異なる成分組成を有する。この場合、STTC組成物中の異なるSTTC粒子は1つ、または2つ、または3つ、またはそれ以上の成分で異なり得る。
【００７７】
粒径は粒子の最長距離（長さ）で測定することができる。粒径は平均粒径であり得る。
【００７８】
粒径または平均粒径は、例えば、約0.1mmから約50mmの範囲であり得る。粒径は、例えば、個々に、核、水溶性核、担体、水溶性担体、またはSTTCであり得る。
【００７９】
粒径または平均粒径は、例えば、約0.1mmから45mm、約0.1mmから約40mm、約0.1mmから約35mm、約0.1mmから約30mm、約0.1mmから約25mm、約0.1mmから約20mm、約0.1mmから約15mm、約0.1mmから約10mm、または約0.1から約5mmの範囲であり得る。
【００８０】
粒径または平均粒径は、例えば、約0.5mmから約50mm、約1mmから約50mm、約5mmから約50mm、約10mmから約50mm、約15mmから約50mm、約20mmから約50mm、約25mmから約50mm、約30mmから約50mm、約35mmから約50mm、約40mmから約50mm、または約45mmから約50mmの範囲であり得る。
【００８１】
粒径または平均粒径は、例えば、約20mmから約30mm、約15mmから約35mm、約10mmから約40mm、または約5mmから約45mmの範囲であり得る。
【００８２】
粒径または平均粒径は、例えば、約0.2mm、約0.3mm、約0.4mm、約0.5mm、約0.6mm、約0.7mm、約0.8mm、約0.9mm、約1mm、約2mm、約3mm、約4mm、約5mm、約6mm、約7mm、約8mm、約9mm、約10mm、約11mm、約12mm、約13mm、約14mm、約15mm、約16mm、約17mm、約18mm、約19mm、約20mm、約21mm、約22mm、約23mm、約24mm、約25mm、約26mm、約27mm、約28mm、約29mm、約30mm、約31mm、約32mm、約33mm、約34mm、約35mm、約36mm、約37mm、約38mm、約39mm、約40mm、約41mm、約42mm、約43mm、約44mm、約45mm、約46mm、約47mm、約48mm、または約49mmであり得る。
【００８３】
1つの態様において、STTC、核、水溶性核、担体、または水溶性担体は、独立に、ナノ粒子であり得る。ナノ粒子の粒径または平均粒径は、独立に、例えば、約10,000nm以下、約9,000nm以下、約8,000nm以下、約7,000nm以下、約6,000nm以下、約5,000nm以下、約4,000nm以下、約3,000nm以下、約2,000nm以下、約1000nm以下、約900nm以下、約800nm以下、約700nm以下、約600nm以下、約500nm以下、約400nm以下、約300nm以下、約200nm以下、約100nm以下、約90nm以下、約80nm以下、約70nm以下、約60nm以下、約50nm以下、約40nm以下、約30nm以下、約20nm以下、約10nm以下、約5nm以下、または約1nm以下の正の粒径または平均粒径であり得る。
【００８４】
ナノ粒子の粒径または平均粒径は独立に、例えば、約10,000nmから約1nm、約9,000nmから約1nm、約8,000nmから約1nm、約7,000nmから約1nm、約6,000nmから約1nm、約5,000nmから約1nm、約4,000nmから約1nm、約3,000nmから約1nm、約2,000nmから約1nm、約1,000nmから約1nm、約900nmから約1nm、約800nmから約1nm、約700nmから約1nm、約600nmから約1nm、約500nmから約1nm、約400nmから約1nm、約300nmから約1nm、約200nmから約1nm、約100nmから約1nm、約90nmから約1nm、約80nmから約1nm、約70nmから約1nm、約60nmから約1nm、約50nmから約1nm、約40nmから約1nm、約30nmから約1nm、約20nmから約1nmまたは約10nmから約1nmであり得る。
【００８５】
ナノ粒子の粒径または平均粒径は独立に、例えば、約1nmから約10,000nm、約10nmから約10,000nm、約20nmから約10,000nm、約30nmから約10,000nm、約40nmから約10,000nm、約50nmから約10,000nm、約60nmから約10,000nm、約70nmから約10,000nm、約80nmから約10,000nm、約90nmから約10,000nm、約100nmから約10,000nm、約200nmから約10,000nm、約300nmから約10,000nm、約400nmから約10,000nm、約500nmから約10,000nm、約600nmから約10,000nm、約700nmから約10,000nm、約800nmから約10,000nm、約900nmから約10,000nm、約1,000nmから約10,000nm、約2,000から約10,000nm、約3,000から約10,000nm、約4,000から約10,000nm、約5,000nmから約10,000nm、約6,000nmから約10,000nm、約7,000nmから約10,000nm、約8,000nmから約10,000nm、または約9,000nmから約10,000nmであり得る。
【００８６】
ナノ粒子の粒径または平均粒径は独立に、例えば、約1nm、約10nm、約20nm、約30nm、約40nm、約50nm、約60nm、約70nm、約80nm、約90nm、約100nm、約200nm、約300nm、約400nm、約500nm、約600nm、約700nm、約800nm、約900nm、約1,000nm、約2,000nm、約3,000nm、約4,000nm、約5,000nm、約6,000nm、約7,000nm、約8,000nm、約9,000nm、または約10,000nmであり得る。
【００８７】
核、担体、水溶性担体、水溶性核、またはSTTCの形状は個別に限定されない。形状は、個別に、例えば、立方体、円錐形、球形、偏球面、長球面、不規則、フラクタル、星形、箱形、ハート形、菱形、棍棒形、スペード形、円板形、またはそれらの任意の組み合わせであり得る。
【００８８】
核、担体、水溶性担体または水溶性核は、個別に、結晶性であり得る。結晶は、個別に、例えば、立方晶、等軸晶、正方晶、斜方晶、六方晶、三方晶、三斜晶、または単斜晶を含み得る。
【００８９】
核、担体、水溶性担体または水溶性核は、個別に、例えば、STTCの約50重量％から約95重量％を含み得る。
【００９０】
核、担体、水溶性担体または水溶性核は、個別に、例えば、STTCの総重量に基づき、約51重量％、約52重量％、約53重量％、約54重量％、約55重量％、約56重量％、約57重量％、約58重量％、約59重量％、約60重量％、約61重量％、約62重量％、約63重量％、約64重量％、約65重量％、約66重量％、約67重量％、約68重量％、約69重量％、約70重量％、約71重量％、約72重量％、約73重量％、約74重量％、約75重量％、約76重量％、約77重量％、約78重量％、約79重量％、約80重量％、約81重量％、約82重量％、約83重量％、約84重量％、約85重量％、約86重量％、約87重量％、約88重量％、約89重量％、約90重量％、約91重量％、約92重量％、約93重量％、または約94重量％を含み得る。
【００９１】
コーティング
1つの態様において、コーティングは水溶性ポリマー、着色剤、および着色剤安定化剤を含む。
【００９２】
さらなる態様において、コーティングは香料（本明細書において等価かつ交換可能に「芳香剤」とも呼び、当業者であれば「芳香剤」なる用語と等価かつ交換可能であると理解もされる）をさらに含む。
【００９３】
さらなる態様において、コーティングは流動性補助剤を含む。
【００９４】
別の態様において、少なくともいくつかのコーティング成分を均質に混合する。
【００９５】
さらなる態様において、少なくともいくつかのコーティング成分を均質に混合しない。
【００９６】
1つの態様において、コーティングは核を部分的にコーティングする。
【００９７】
別の態様において、コーティングは核を完全にコーティングする。
【００９８】
1つの態様において、水溶性ポリマー、着色剤、着色剤安定化剤および任意に香料を均質に混合する。
【００９９】
1つの態様において、水溶性ポリマー、着色剤、着色剤安定化剤、および任意に香料を均質に混合しない。
【０１００】
さらなる態様において、流動性補助剤以外のすべてのコーティング成分をコーティング中で均質に混合する。
【０１０１】
別の態様において、コーティングは流動性補助剤をさらに含む。
【０１０２】
さらなる態様において、流動性補助剤をコーティング中の他の成分と均質に混合する。
【０１０３】
1つの態様において、コーティングは多糖を含まない。1つの態様において、コーティングはセルロースを含まない。
【０１０４】
態様において、コーティングはアルギン酸を含まない。1つの態様において、コーティングはアルゲン酸を含まない。
【０１０５】
米国特許出願公開第2011/0082066号（「'066号出願」）は、「・・・セルロースまたはその誘導体は着色した固体の布地ケア組成物の安定性を高める」ことを開示している。出願人らは、セルロースまたはセルロース誘導体ではない着色剤安定化剤が、着色した固体の布地ケア組成物（例えば、STTC）の安定性を高め得ることを見いだした。
【０１０６】
したがって、1つの態様において、STTCまたは固体組成物中の着色剤の少なくともいくつかは、多糖、セルロース、アルギン酸、アルゲン酸、またはこれらの任意の組み合わせではない着色剤安定化剤によって安定化される。例えば、STTCのコーティングにおいて、着色剤の少なくともいくつかは、多糖、セルロース、アルギン酸、アルゲン酸、またはこれらの任意の組み合わせではない着色剤安定化剤によって安定化される。
【０１０７】
1つの態様において、コーティングは約0.0001mmから約20mmの厚さを有する。コーティングの厚さはコーティングの最も厚い部分と最も薄い部分を足して2で割った平均であり得る。
【０１０８】
例えば、コーティングの厚さは約0.0001mm、約0.01mm、約0.1mm、約1mm、約2mm、約3mm、約4mm、約5mm、約6mm、約7mm、約8mm、約9mm、約10mm、約11mm、約12mm、約13mm、約14mm、約15mm、約16mm、約17mm、約18mm、または約19mmであり得る。
【０１０９】
コーティングの厚さは、例えば、約0.0001mmから約18mm、約0.0001mmから約16mm、約0.0001mmから約14mm、約0.0001mmから約12mm、約0.0001mmから約10mm、約0.0001mmから約8mm、約0.0001mmから約6mm、約0.0001mmから約4mm、約0.0001mmから約2mm、約0.0001mmから約1mm、約0.0001mmから約0.1mm、または約0.0001mmから約0.01mmの範囲であり得る。
【０１１０】
コーティングの厚さは、例えば、約0.01mmから約20mm、約0.1mmから約20mm、約1mmから20mm、約2mmから約20mm、約4mmから約20mm、約6mmから約20mm、約8mmから約20mm、約10mmから約20mm、約12mmから約20mm、約14mmから約20mm、約16mmから約20mm、または約18mmから約20mmの範囲であり得る。
【０１１１】
コーティングの厚さは、例えば、約8mmから約12mm、約7mmから約13mm、約6mmから約14mm、約5mmから約15mm、約4mmから約16mm、約3mmから約17mm、約2mmから約18mm、or 約1mmから約19mmの範囲であり得る。
【０１１２】
水溶性ポリマー
水溶性ポリマーは、独立に、例えば、約45℃から約300℃の融点温度または軟化点温度を有し得る。融点温度とは、水溶性ポリマーの固体状態から液体（流動性）状態への転移の温度を意味する。軟化点温度とは、水溶性ポリマーの固体状態からゴム状〜粘性融解物への転移の温度を意味する。いくつかの水溶性ポリマーの融点温度範囲および軟化点温度範囲は、米国特許出願公開第2009/0042766号および第2009/0082244号において見いだし得る。米国特許出願公開第2009/0042766号および第2009/0082244号の開示はそれらの全体が参照により本明細書に組み入れられる。
【０１１３】
水溶性ポリマーは、個別に、例えば、約45℃から約275℃、約75℃から約250℃、約100℃から約225℃、約125℃から約200℃、または約150℃から約175℃の融点温度または軟化点温度を有し得る。
【０１１４】
水溶性ポリマーは、個別に、例えば、約45℃から約300℃、約75℃から約300℃、約100℃から約300℃、約125℃から約300℃、約150℃から約300℃、約175℃から約300℃、約200℃から約300℃、約225℃から約300℃、約250℃から約300℃、または約275℃から約300℃の融点温度または軟化点温度を有し得る。
【０１１５】
水溶性ポリマーは、個別に、例えば、約45℃から約275℃、約45℃から約250℃、約45℃から約225℃、約45℃から約200℃、約45℃から約175℃、約45℃から約150℃、約45℃から約125℃、約45℃から約100℃、または約45℃から約75℃の融点温度または軟化点温度を有し得る。
【０１１６】
水溶性ポリマーは、個別に、例えば、約45℃、約50℃、約55℃、約60℃、約65℃、約70℃、約75℃、約80℃、約85℃、約90℃、約95℃、約100℃、約105℃、約110℃、約115℃、約120℃、約125℃、約130℃、約135℃、約140℃、約145℃、約150℃、約155℃、約160℃、約165℃、約170℃、約175℃、約180℃、約185℃、約190℃、約195℃、約200℃、約205℃、約210℃、約220℃、約225℃、約230℃、約235℃、約240℃、約245℃、約250℃、約255℃、約260℃、約265℃、約270℃、約275℃、約280℃、約285℃、約290℃、または約295℃の融点温度または軟化点温度を有し得る。
【０１１７】
水溶性ポリマーは、例えば、ポリアルキレングリコール、ポリエチレングリコール、ポリエチレンテレフタラート、ポリビニルアルコール、またはこれらの任意の組み合わせであり得る。
【０１１８】
1つの態様において、水溶性ポリマーは水溶性着色剤ポリマーであり得る。
【０１１９】
1つの態様において、組成物は、担体または水溶性担体を含む核または水溶性核；核または水溶性核を少なくとも部分的に覆うコーティングであって、水溶性着色剤ポリマーおよび着色剤安定化剤を含み得るコーティング；ならびにコーティングの外側表面上で部分的または完全に露出されるようにコーティングと物理的に結合されている流動性補助剤を含み得る。
【０１２０】
水溶性着色剤ポリマーの量は、例えば、本明細書に開示する水溶性ポリマーの量、本明細書に開示する着色剤の量と同じであり得、または本明細書に開示する水溶性ポリマーおよび着色料の総量と等しい組み合わせ量であり得る。
【０１２１】
水溶性着色剤ポリマーは、例えば、酸性、塩基性、または中性であり得る。
【０１２２】
水溶性着色剤ポリマーは、例えば、正味の負電荷、正味の正電荷、または正味の中性電荷を有し得る。
【０１２３】
水溶性着色剤ポリマーは、例えば、本明細書において論じるポリエチレングリコール（PEG）の分子量と同じ重量平均分子量を有し得る。
【０１２４】
水溶性ポリマーはSTTC中に、例えば、STTCの重量に基づき約5重量％から約20重量％の量で含まれ得る。
【０１２５】
水溶性ポリマーはSTTC中に、例えば、STTCの重量に基づき約6重量％、約7重量％、約8重量％、約9重量％、約10重量％、約11重量％、約12重量％、約13重量％、約14重量％、約15重量％、約16重量％、約17重量％、約18重量％、または約19重量％の量で含まれ得る。
【０１２６】
水溶性ポリマーは、例えば、ポリエチレングリコール（「PEG」）であり得る。PEGは、例えば、約300から約10,000,000の重量平均分子量を有し得る。適切なPEGは、例えば、約300、約400、約500、約600、約700、約800、約900、約1,000、約2,000、約3,000、約4,000、約5,000、約6,000、約7,000、約8,000、約9,000、約10,000、約11,000、約15,000、約20,000、約25,000、約30,000、約35,000、約40,000、約45,000、約50,000、約55,000、約60,000、約65,000、約70,000、約75,000、約80,000、約85,000 約90,000、約95,000、約100,000、約200,000、約300,000、約400,000、約500,000、約600,000、約700,000、約800,000、約900,000、約1,000,000、約2,000,000、約3,000,000、約4,000,000、約5,000,000、約6,000,000、約7,000,000、約8,000,000、約9,000,000または約10,000,000の重量平均分子量を有し得る。
【０１２７】
PEGは、例えば、約300から約10,000,000、約400から約10,000,00、約500から約10,000,000、約600から約10,000,000、約700から約10,000,000、約800から約10,000,000、約900から約10,000,000、約1,000から約10,000,000、約2,000から約10,000,000、約3,000から約10,000,000、約4,000から約10,000,000、約5,000から約10,000,000、約6,000から約10,000,000、約7,000から約10,000,000、約8,000から約10,000,000、約9,000から約10,000,000、約10,000から約10,000,000、約20,000から約10,000,000、約30,000から約10,000,000、約40,000から約10,000,000、約50,000から約10,000,000、約60,000から約10,000,000、約70,000から約10,000,000、約80,000から約10,000,000、約90,000から約10,000,000、約100,000から約10,000,000、約200,000から約10,000,000、約300,000から約10,000,000、約400,000から約10,000,000、約500,000から約10,000,000、約6000,000から約10,000,000、約700,000から約10,000,000、約800,000から約10,000,000、約900,000から約10,000,000、約1,000,000から約10,000,000、約2,000,000から約10,000,000、約3,000,000から約10,000,000、約4,000,000から約10,000,000、約5,000,000から約10,000,000、約6,000,000から約10,000,000、約7,000,000から約10,000,000、約8,000,000から約10,000,000、または約9,000,000から約10,000,000の重量平均分子量を有し得る。
【０１２８】
PEGは、例えば、約300から約10,000,000、約300から約9,000,000、約300から約8,000,000、約300から約7,000,000、約300から約6,000,000、約300から約5,000,000、約300から約4,000,000、約300から約3,000,000、約300から約2,000,000、約300から約1,000,000、約300から約900,000、約300から約800,000、約300から約700,000、約300から約600,000、約300から約500,000、約300から約400,000、約300から約300,000、約300から約200,000、約300から約100,000、約300から約90,000、約300から約80,000、約300から約70,000、約300から約60,000、約300から約50,000、約300から約40,000、約300から約30,000、約300から約20,000、約300から約10,000、約300から約5,000、約300から約1,000、約300から約900、約300から約800、約300から約700、約300から約600、約300から約500、または約300から約400の重量平均分子量を有し得る。
【０１２９】
PEGは、例えば、約3,000から約11,000、約3,000から約10,000、約3,000から約9,000、約3,000から約8,000、約3,000から約7,000、約3,000から約6,000、約3,000から約5,000、または約3,000から約4,000の重量平均分子量を有し得る。
【０１３０】
PEGは、例えば、約4,000から約12,000、約5,000から約12,000、約6,000から約12,000、約7,000から約12,000、約8,000から約12,000、約9,000から約12,000、約10,000から約12,000または約11,000から約12,000の重量平均分子量を有し得る。
【０１３１】
PEGは、例えば、約7,000から約8,000、約6,000から約9,000、約5,000から約10,000、または約4,000から約11,000の重量平均分子量を有し得る。
【０１３２】
PEGの例は米国特許第7,871,976号において見いだされ、これはその全体が参照により本明細書に組み入れられる。
【０１３３】
水溶性ポリマーは、例えば、ポリエチレンテレフタラートであり得る。
【０１３４】
ポリエチレンテレフタラートは、例えば、ポリエステルであり得る。
【０１３５】
水溶性ポリマーは、例えば、ポリビニルアルコールであり得る。ポリビニルアルコールは、例えば、約500から約100,000の重量平均分子量を有し得る。
【０１３６】
ポリビニルアルコールの重量平均分子量は、例えば、約600、約700、約800、約900、約1,000、約5,000、約10,000、約15,000、約20,000、約25,000、約30,000、約35,000、約40,000、約45,000、約50,000、約55,000、約60,000、約65,000、約70,000、約75,000、約80,000、約85,000、約90,000または約95,000であり得る。
【０１３７】
ポリビニルアルコールの重量平均分子量は、例えば、約1,000から約100,000、約5,000から約100,000、約10,000から約100,000、約15,000から約100,000、約20,000から約100,000、約25,000から約100,000、約30,000から約100,000、約35,000から約100,000、約40,000から約100,000、約45,000から約100,000、約50,000から約100,000、約55,000から約100,000、約60,000から約100,000、約65,000から約100,000、約70,000から約100,000、約75,000から約100,000、約80,000から約100,000、約85,000から約100,000、約90,000から約100,000、または約95,000から約100,000の範囲であり得る。
【０１３８】
ポリビニルアルコールの重量平均分子量は、例えば、約1,000から約95,000、約1,000から約90,000、約1,000から約85,000、約1,000から約80,000、約1,000から約75,000、約1,000から約70,000、約1,000から約65,000、約1,000から約60,000、約1,000から約55,000、約1,000から約50,000、約1,000から約45,000、約1,000から約40,000、約1,000から約35,000、約1,000から約30,000、約1,000から約25,000、約1,000から約20,000、約1,000から約15,000、約1,000から約10,000、または約1,000から5,000の範囲であり得る。
【０１３９】
1つの態様において、ポリビニルアルコールの重量平均分子量は、例えば、約40,000から約60,000、約35,000から約65,000、約30,000から約70,000、約25,000から約75,000、約20,000から約80,000、約15,000から約85,000、または約10,000から約90,000の範囲であり得る。
【０１４０】
ポリビニルアルコールは、例えば、約87mol％から約98mol％の加水分解度を有し得る。
【０１４１】
ポリビニルアルコールは、例えば、約87mol％、約88mol％、約89mol％、約90mol％、約91mol％、約92mol％、約93mol％、約94mol％、約95mol％、約96mol％、または約97mol％の加水分解度を有し得る。
【０１４２】
ポリビニルアルコールは、例えば、約87mol％から約97mol％、約87mol％から約96mol％、約87mol％から約95mol％、約87mol％から約94mol％、約87mol％から約93mol％、約87mol％から約92mol％、約87mol％から約91mol％、約87mol％から約90mol％、約87mol％から約89mol％、または約87mol％から約88mol％の加水分解度を有し得る。
【０１４３】
ポリビニルアルコールは、例えば、約88mol％から約98mol％、約89mol％から約98mol％、約90mol％から約98mol％、約91mol％から約98mol％、約92mol％から約98mol％、約93mol％から約98mol％、約94mol％から約98mol％、約95mol％から約98mol％、約96mol％から約98mol％、または約97mol％から約98mol％の加水分解度を有し得る。
【０１４４】
ポリビニルアルコールは、例えば、約92mol％から約94mol％、約91mol％から約95mol％、約90mol％から約96mol％、約89mol％から約97mol％、または約88mol％から約98mol％の加水分解度を有し得る。
【０１４５】
香料
1つの態様において、STTCは香料を含まない。
【０１４６】
別の態様において、コーティングは香料を含まない。
【０１４７】
1つの態様において、STTCは香料を含む。
【０１４８】
別の態様において、香料はコーティング中に存在する。
【０１４９】
さらなる態様において、香料はコーティング中にのみ存在する。
【０１５０】
香料は、例えば、米国特許第6,056,949号において論じられている。米国特許第6,056,949号の内容は、それらの全体が参照により本明細書に組み入れられる。
【０１５１】
存在する場合、香料は、例えば、STTCの重量に基づき、約0.1重量％から約10重量％の量で含まれ得る。香料は、例えば、STTCの重量に基づき、約0.2重量％、約0.3重量％、約0.4重量％、約0.5重量％、約0.6重量％、約0.7重量％、約0.8重量％、約0.9重量％、約1.0重量％、約2.0重量％、約3.0重量％、約4.0重量％、約5.0重量％、約6.0重量％、約7.0重量％、約8.0重量％、または約9.0重量％の量で含まれ得る。
【０１５２】
香料は、例えば、STTCの重量に基づき、約0.1重量％から約10重量％、約0.1重量％から約9重量％、約0.1重量％から約8重量％、約0.1重量％から約7重量％、約0.1重量％から約6重量％、約0.1重量％から約5重量％、約0.1重量％から約4重量％、約0.1重量％から約3重量％、約0.1重量％から約2重量％、または約0.1重量％から約1重量％の量で含まれ得る。
【０１５３】
香料は、例えば、STTCの重量に基づき、約1重量％から約10重量％、約2重量％から約10重量％、約3重量％から約10重量％、約4重量％から約10重量％、約5重量％から約10重量％、約6重量％から約10重量％、約7重量％から約10重量％、約8重量％から約10重量％、または約9重量％から約10重量％の量で含まれ得る。
【０１５４】
香料は、例えば、STTCの重量に基づき、約4重量％から約6重量％、約3重量％から約7重量％、約2重量％から約8重量％、または約1重量％から約9重量％の量で含まれ得る。
【０１５５】
香料は、エステル、エーテル、アルデヒド、ケトン、アルコール、炭化水素、またはそれらの任意の組み合わせを含み得る。
【０１５６】
香料は、例えば、麝香の香り、腐敗臭、刺激臭、樟脳臭、エーテル臭、花の香り、ペパーミントの香り、またはそれらの任意の組み合わせを有し得る。
【０１５７】
1つの態様において、香料はギ酸メチル、酢酸メチル、酪酸メチル、酪酸エチル、酢酸イソアミル、酪酸ペンチル、ペンタン酸ペンチル、酢酸オクチル、ミルセン、ゲラニオール、ネロール、シトラール、シトロネロール、リナロール、ネロリドール、リモネン、樟脳、テルピネオール、アルファ-イオノン、ツジョン、ベンズアルデヒド、オイゲノール、桂皮アルデヒド、エチルマルトール、バニリン、アニソール、アネトール、エストラゴール、チモール、インドール、ピリジン、フラネオール、1-ヘキサノール、シス-3-ヘキセナール、フルフラル、ヘキシル桂皮アルデヒド、フラクトン、酢酸ヘキシル、メチルフェニルグリシッド酸エチル、ジヒドロジャスモン、オクタ-1-エン-3-オン、2-アセチル-1-ピロリン、6-アセチル-2,3,4,5-テトラヒドロピリジン、ガンマ-デカラクトン、ガンマ-ノナラクトン、デルタ-オクタロン、ジャスミンラクトン、マッソイアラクトン、ワインラクトン、ソトロン、グレープフルーツメルカプタン、メタンチオール、メチルホスフィン、ジメチルホスフィン、ネロリン、2,4,6-トリクロロアニソール、またはそれらの任意の組み合わせを含み得る。
【０１５８】
1つの態様において、香料は、例えば、直鎖テルペン、環状テルペン、芳香族化合物、ラクトン、チオール、またはそれらの任意の組み合わせを含み得る。
【０１５９】
1つの態様において、香料はHigh Five ACM 190991 F（Firmenich）、Super Soft Pop 190870（Firmenich）、Mayflowers TD 485531 EB（Firmenich）、またはそれらの任意の組み合わせである。他の当技術分野において公知の芳香剤、もしくは芳香剤供給業者（例えば、Firmenich、Givaudanなど）から市販されている任意の芳香剤、またはそのような芳香剤の組み合わせも、本明細書に開示するSTTC、組成物、調合物、コーティング、および方法において適切に使用され得る。
【０１６０】
香料の少なくとも一部をマイクロカプセル中にカプセル化することができる。
【０１６１】
1つの態様において、香料のすべてをマイクロカプセル中にカプセル化することができる。
【０１６２】
マイクロカプセルは水溶性または水不溶性であり得る。
【０１６３】
着色剤
コーティングは着色剤および着色剤安定化剤を含み得る。出願人らは、着色剤が経時的に退色し得、色相を変える、または本質的に無色もしくは無色になることを予想外に見いだした。例えば、Milliken Liquitint(登録商標)着色剤は、STTCなどの固体組成物中で用いると退色し得る。出願人らは、着色剤、例えばMilliken Liquitint(登録商標)着色剤を、色相もしくは色を変えない、または実質的に無色もしくは無色にならないように、STTCなどの固体組成物中で安定化し得ることを見いだした。安定化は、部分的または完全に、着色剤安定化剤によって行われる。Milliken Liquitint(登録商標)着色剤などの着色剤は、広いpH範囲および多様な環境で安定であると考えられる。したがって、着色剤、例えばMilliken Liquitint(登録商標)着色剤を含むSTTCなどの試験組成物が実質的に無色または無色になった時は意外であった。酸を加えると色が戻った時も同じく意外であった。
【０１６４】
理論に縛られることなく、着色剤がプロトンを失うことがあり得、これは着色剤が色相を変える、または実質的に無色もしくは無色になる原因となる。着色剤安定化剤は酸性プロトンを着色剤に付与し、それによりその色を安定化または回復すると考えられる。または、着色剤安定化剤は、例えば、組成物のpHを低下させることにより、着色剤をより酸性にすると考えられる。
【０１６５】
STTCまたは組成物は、例えば、約2から約10のpHを有し得る。STTCまたは組成物のpHは、例えば、約2、約3、約4、約5、約6、約7、約8、約9、または約10であり得る。
【０１６６】
STTCまたは組成物のpHは、例えば、約2から約9、約2から約8、約2から約7、約2から約6、約2から約5、約2から約4、または約2から約3の範囲であり得る。
【０１６７】
STTCまたは組成物のpHは、例えば、約4から約8、約4から約7、約4から約6、または約4から約5の範囲であり得る。
【０１６８】
STTCまたは組成物のpHは、例えば、約5から約8、約6から約8、または約7から約8の範囲であり得る。
【０１６９】
STTCまたは組成物のpHは、例えば、約2から約10、約3から約10、約4から約10、約5から約10、約6から約10、約7から約10、約8から約10、または約9から約10の範囲であり得る。
【０１７０】
STTCまたは組成物のpHは、例えば、STTCまたは組成物：水の1％重量：体積溶液のpHを調べることにより、室温で測定し得る。
【０１７１】
例えば、STTCなどの固体組成物は、着色剤安定化剤非存在下で、約1日から約3ヶ月の期間で実質的に無色または無色になり得る。
【０１７２】
例えば、固体組成物またはSTTCは、着色剤安定化剤非存在下で、約1日、約2日、約3日、約4日、約5日、約6日、約1週間、約2週間、約3週間、約4週間、約5週間、約6週間、約7週間、約8週間、約9週間、約10週間、または約11週間で実質的に無色または無色になり得る。
【０１７３】
例えば、固体組成物またはSTTCは、着色剤安定化剤非存在下で、少なくとも1日、少なくとも2日、少なくとも3日、少なくとも4日、少なくとも5日、少なくとも6日、少なくとも1週間、少なくとも2週間、少なくとも3週間、少なくとも4週間、少なくとも5週間、少なくとも6週間、少なくとも7週間、少なくとも8週間、少なくとも9週間、少なくとも10週間、少なくとも11週間、または少なくとも12週間で実質的に無色または無色になり得る。
【０１７４】
STTC中で用いる着色剤は、例えば、Milliken Liquitint(登録商標)着色剤であり得る。
【０１７５】
着色剤は、例えば、ポリマーであり得る。
【０１７６】
着色剤は、例えば、染料であり得る。
【０１７７】
着色剤は、例えば、水溶性ポリマー着色剤であり得る。
【０１７８】
着色剤は、例えば、水溶性染料であり得る。
【０１７９】
着色剤は、例えば、当技術分野において周知であるか、または染料もしくは化学物質製造業者から市販されている着色剤であり得る。
【０１８０】
着色剤の色は限定されず、例えば、赤、橙、黄、青、藍、紫、またはそれらの任意の組み合わせであり得る。
【０１８１】
着色剤は、例えば、Acid Blue 80、Acid Red 52、Acid Violet 48、およびその組み合わせからなる群より選択される1つまたは複数であり得る。着色剤がこれらの1つまたは複数である場合、STTCは、任意に、着色剤安定化剤を含まなくてもよい。驚くことに、Acid Blue 80、Acid Red 52、およびAcid Violet 48は、着色剤安定化剤を含まない固体組成物、STTC、または液体組成物中で経時的に著しい変色を示さないことが判明した。
【０１８２】
1つの態様において、着色剤はSTTCのコーティング中に存在し得る。
【０１８３】
1つの態様において、着色剤はSTTCのコーティング中にのみ存在する。
【０１８４】
1つの態様において、着色剤は、STTCの重量に基づき、約0.0001重量％から約0.1重量％の量で存在し得る。
【０１８５】
着色剤は、例えば、STTCの重量に基づき、約0.001重量％、または約0.01重量％の量で存在し得る。
【０１８６】
着色剤は、例えば、STTCの重量に基づき、約0.005重量％から約0.1重量％、約0.01重量％から約0.1重量％、または約0.05重量％から約0.1重量％の量で存在し得る。
【０１８７】
着色剤安定化剤
着色剤安定化剤は、例えば、酸であり得る。着色剤安定化剤は、例えば、ルイス酸またはアレニウス酸またはブレンステッド-ローリーの酸であり得る。
【０１８８】
1つの態様において、着色剤安定化剤は酸性プロトンを有する。
【０１８９】
1つの態様において、着色剤安定化剤は約1,000ダルトン以下の正の分子量を有する。着色剤安定化剤は、例えば、約900ダルトン以下、約800ダルトン以下、約700ダルトン以下、約600ダルトン以下、約500ダルトン以下、約400ダルトン以下、約300ダルトン以下、約200ダルトン以下、または約100ダルトン以下の正の分子量を有し得る。
【０１９０】
着色剤安定化剤は、例えば、約10ダルトンから約1,000ダルトンの分子量を有し得る。
【０１９１】
着色剤安定化剤は、例えば、約10ダルトンから約1,000ダルトン、約20ダルトンから約1,000ダルトン、約30ダルトンから約1,000ダルトン、約40ダルトンから約1,000ダルトン、約50ダルトンから約1,000ダルトン、約60ダルトンから約1,000ダルトン、約70ダルトンから約1,000ダルトン、約80ダルトンから約1,000ダルトン、約90ダルトンから約1,000ダルトン、約100ダルトンから約1,000ダルトン、約200ダルトンから約1,000ダルトン、約300ダルトンから約1,000ダルトン、約400ダルトンから約1,000ダルトン、約500ダルトンから約1,000ダルトン、約600ダルトンから約1,000ダルトン、約700ダルトンから約1,000ダルトン、約800ダルトンから約1,000ダルトン、または約900ダルトンから約1,000ダルトンの分子量を有し得る。
【０１９２】
着色剤安定化剤は、例えば、約10ダルトンから約900ダルトン、約10ダルトンから約800ダルトン、約10ダルトンから約700ダルトン、約10ダルトンから約600ダルトン、約10ダルトンから約500ダルトン、約10ダルトンから約400ダルトン、約10ダルトンから約300ダルトン、約10ダルトンから約200ダルトン、約10ダルトンから約100ダルトン、約10ダルトンから約90ダルトン、約10ダルトンから約80ダルトン、約10ダルトンから約70ダルトン、約10ダルトンから約60ダルトン、約10ダルトンから約50ダルトン、約10ダルトンから約40ダルトン、約10ダルトンから約30ダルトン、または約10ダルトンから約20ダルトンの分子量を有し得る。
【０１９３】
着色剤安定化剤は、例えば、約400ダルトンから約600ダルトン、約300ダルトンから約700ダルトン、約200ダルトンから約800ダルトン、または約100ダルトンから約900ダルトンの分子量を有し得る。
【０１９４】
着色剤安定化剤は、1つの態様において、多糖ではない。
【０１９５】
1つの態様において、着色剤安定化剤はセルロースではない。
【０１９６】
1つの態様において、着色剤安定化剤はアルギン酸ではない。
【０１９７】
1つの態様において、着色剤安定化剤はアルゲン酸ではない。
【０１９８】
1つの態様において、着色剤安定化剤は多糖ではなく、1000ダルトン以下の正の分子量を有し、酸性プロトンを有する。
【０１９９】
1つの態様において、着色剤安定化剤は有機小分子である。
【０２００】
1つの態様において、着色剤安定化剤は多糖またはセルロースではなく、1000ダルトン以下の正の分子量を有し、酸性プロトンを有し、有機小分子である。
【０２０１】
1つの態様において、着色剤安定化剤は鉱酸である。
【０２０２】
1つの態様において、着色剤安定化剤は、例えば、HF、HCl、HBr、HI、H2SO4、HNO3、H3PO4、H3BO3、HClO、HClO2、HClO3、HClO4、またはそれらの任意の組み合わせである。
【０２０３】
1つの態様において、着色剤安定化剤は有機分子である。
【０２０４】
1つの態様において、着色剤安定化剤は、-OH基、-C(O)OH基、テトラゾール、ヒドロキサミド、アシルシアナミド、スルホンアミド、ホスホナート、スルホナート、スルホンアミド、ヒドロキシイソキサゾール、オキサジアゾロン、またはそれらの任意の組み合わせである、酸性基を有する。
【０２０５】
1つの態様において、着色剤安定化剤はアルキルカルボン酸、シクロアルキルカルボン酸、ヘテロシクロアルキルカルボン酸、アミノ酸、アリールカルボン酸、ヘテロアリールカルボン酸、シクロアルキルアルキルカルボン酸、アリールアルキルカルボン酸、ヘテロシクロアルキルアルキルカルボン酸、ヘテロアリールアルキルカルボン酸、sp2混成炭素に結合したアルコール、それらの任意の誘導体、またはそれらの任意の組み合わせである。
【０２０６】
1つの態様において、着色剤安定化剤はギ酸、酢酸、プロパン酸、ブタン酸、ペンタン酸、ヘキサン酸、ヘプタン酸、オクタン酸、ノナン酸、デカン酸、シクロプロピルカルボン酸、シクロブチルカルボン酸、シクロペンチルカルボン酸、シクロヘキシルカルボン酸、シクロヘプチルカルボン酸、シクロオクチルカルボン酸、シクロノニルカルボン酸、シクロデカノイルカルボン酸、乳酸、ピルビン酸、フェノール、シュウ酸、マロン酸、コハク酸、マレイン酸、フマル酸、グルタル酸、アジピン酸、ピメリン酸、スベリン酸、アゼライン酸、セバシン酸、クエン酸、アスコルビン酸、エリソルビン酸、それらの任意の誘導体、またはそれらの任意の組み合わせである。
【０２０７】
1つの態様において、着色剤安定化剤は少なくとも1つの-C(O)OH基、または少なくとも1つの-C(O)OH基、または少なくとも3つの-C(O)OH基、または少なくとも4つの-C(O)OH基を含む。
【０２０８】
1つの態様において、着色剤安定化剤はギ酸、クエン酸、乳酸、酢酸、アスコルビン酸、エリソルビン酸、それらの任意の誘導体、またはそれらの任意の組み合わせである。
【０２０９】
1つの態様において、着色剤安定化剤はクエン酸である。
【０２１０】
1つの態様において、着色剤安定化剤はコーティング中にのみ含まれる。
【０２１１】
1つの態様において、着色剤安定化剤は脂肪酸である。
【０２１２】
1つの態様において、着色剤安定化剤は飽和脂肪酸である。
【０２１３】
1つの態様において、着色剤安定化剤は、一不飽和または多不飽和脂肪酸である不飽和脂肪酸である。
【０２１４】
1つの態様において、着色剤安定化剤は核酸である。
【０２１５】
着色剤安定化剤はSTTC、組成物、またはコーティング中に、個別に、例えば、STTC、組成物、またはコーティングの重量に基づき、約0.1重量％から約2.0重量％の量で存在し得る。
【０２１６】
着色剤安定化剤は、個別に、例えば、STTC、組成物、またはコーティングの重量に基づき、約0.1重量％、約0.2重量％、約0.3重量％、約0.4重量％、約0.5重量％、約0.6重量％、約0.7重量％、約0.8重量％、約0.9重量％、約1.0重量％、約1.1重量％、約1.2重量％、約1.3重量％、約1.4重量％、約1.5重量％、約1.6重量％、約1.7重量％、約1.8重量％、約1.9重量％、または約2.0重量％の量で存在し得る。
【０２１７】
着色剤安定化剤は、STTC、組成物、またはコーティング中に、個別に、例えば、STTC、組成物、またはコーティングの重量に基づき、約0.1重量％から約1.9重量％、約0.1重量％から約1.8重量％、約0.1重量％から約1.7重量％、約0.1重量％から約1.6重量％、約0.1重量％から約1.5重量％、約0.1重量％から約1.4重量％、約0.1重量％から約1.3重量％、約0.1重量％から約1.2重量％、約0.1重量％から約1.1重量％、約0.1重量％から約1.0重量％、約0.1重量％から約0.9重量％、約0.1重量％から約0.8重量％、約0.1重量％から約0.7重量％、約0.1重量％から約0.6重量％、約0.1重量％から約0.5重量％、約0.1重量％から約0.4重量％、約0.1重量％から約0.3重量％、または約0.1重量％から約0.2重量％の量で存在し得る。
【０２１８】
着色剤安定化剤は、1つの態様において、STTC、組成物、またはコーティング中に、個別に、STTCまたは組成物の水に対する0.1％重量：体積水溶液を約2.0から約8.0のpHにするのに十分な量で存在し得る。
【０２１９】
着色剤安定化剤は、1つの態様において、STTC、組成物、またはコーティング中に、個別に、STTCまたは組成物の水に対する0.1％重量：体積水溶液を約2.0、約3.0、約4.0、約5.0、約6.0、約7.0、または約8.0のpHにするのに十分な量で存在し得る。
【０２２０】
1つの態様において、着色剤安定化剤は組成物またはSTTCまたはコーティング中に、セルロースまたはその誘導体であり得る多糖と共に含まれる。
【０２２１】
1つの態様において、着色剤安定化剤、およびセルロースまたはその誘導体であり得る多糖は、組成物またはSTTCのコーティング中に含まれる。
【０２２２】
1つの態様において、組成物またはSTTCは着色剤安定化剤、およびセルロースまたはその誘導体であり得る多糖を、着色剤安定化剤、およびセルロースまたはその誘導体であり得る多糖が着色剤を相乗的に安定化するような量で含む。
【０２２３】
存在する場合、セルロースまたはその誘導体であり得る多糖は組成物またはSTTCまたはコーティング中に、個別に、例えば、STTC、組成物、またはコーティングの重量に基づき、0.1％から10重量％の量で存在し得る。セルロースまたはその誘導体であり得る多糖は、例えば、STTC、組成物、またはコーティングの重量に基づき、約0.1重量％、約0.2重量％、約0.3重量％、約0.4重量％、約0.5重量％、約0.6重量％、約0.7重量％、約0.8重量％、約0.9重量％、約1.0重量％、約2.0重量％、約3.0重量％、約4.0重量％、約5.0重量％、約6.0重量％、約7.0重量％、約8.0重量％、約9.0重量％、または約10重量％の量で存在し得る。
【０２２４】
流動性補助剤
1つの態様において、流動性補助剤は布地柔軟剤を含む。
【０２２５】
さらなる態様において、流動性補助剤はコーティングの外側表面上で部分的に露出している。
【０２２６】
さらなる態様において、流動性補助剤をコーティング中に混合する。
【０２２７】
別の態様において、流動性補助剤をコーティング中に均質に混合する。
【０２２８】
さらなる態様において、布地柔軟剤はポリシロキサン、繊維柔軟化クレー、カチオンポリマー、またはそれらの任意の組み合わせである。
【０２２９】
1つの態様において、STTCはクレーおよびカチオンポリマーを同時に含まない。
【０２３０】
1つの態様において、STTCはクレーおよびカチオンポリマーを同時に含む。
【０２３１】
さらなる態様において、布地柔軟剤はポリシロキサンである。
【０２３２】
1つの態様において、布地柔軟剤は繊維柔軟化クレーである。
【０２３３】
別の態様において、布地柔軟剤はスメクタイトクレーである繊維柔軟化クレーである。
【０２３４】
さらなる態様において、スメクタイトクレーは、ベントナイトクレー、バイデライトクレー、ヘクトライトクレー、ラポナイトクレー、モンモリロナイトクレー、ノントロナイトクレー、サポナイトクレー、ソーコナイトクレー、またはそれらの任意の組み合わせである。
【０２３５】
1つの態様において、スメクタイトクレーはラポナイトクレーである。
【０２３６】
別の態様において、スメクタイトクレーはベントナイトクレーである。
【０２３７】
1つの態様において、流動性補助剤は布地柔軟剤を含まない。
【０２３８】
1つの態様において、流動性補助剤は無機アルカリ金属塩、無機アルカリ土類金属塩、ケイ酸塩、アルミノケイ酸塩、アモルファスシリカ、またはそれらの任意の組み合わせを含む。
【０２３９】
1つの態様において、流動性補助剤は硫酸ナトリウムを含む。
【０２４０】
別の態様において、流動性補助剤はZeofree 5161（J.M. Huber Corpn.; Edison, NJ）であるか、これを含む。
【０２４１】
1つの態様において、それらの分子量またはモノマー組成ゆえに、蒸留水中、25℃で、少なくとも0.01重量％の程度まで可溶性または分散性であるポリマーを含むと定義されたカチオンポリマー。水溶性カチオンポリマーは、構成成分モノマーの1つまたは複数が共重合可能なカチオンまたは両性モノマーのリストから選択されるポリマーを含み得る。これらのモノマー単位は、pH6〜11の範囲の少なくとも一部にわたる正電荷を含む。モノマーの部分的リストは''International Cosmetic Ingredient Dictionary,'' 5th Edition, edited by J. A. Wenninger and G. N. McEwen, The Cosmetic, Toiletry, and Fragrance Association, 1993に見いだすことができる。そのようなモノマーの別の情報源は、''Encyclopedia of Polymers and Thickeners for Cosmetics'', by R. Y. Lochhead and W. R. Fron, Cosmetics & Toiletries, vol. 108, May 1993, pp 95-135に見いだすことができる。
【０２４２】
本発明のカチオンポリマーは、アミン塩または4級アンモニウム塩であり得る。好ましくは、カチオンポリマーは4級アンモニウム塩である。これらには、多糖、ポリクオタニウム-10、UCAREポリマーJR-400、UCAREポリマーLR-400、デンプンなどの天然ポリマーのカチオン誘導体およびカチオンビニルピリジンまたは塩化ビニルピリジニウムのポリマーおよびコポリマーなどの特定のカチオン合成ポリマーとのそれらのコポリマーが含まれる。
【０２４３】
具体的には、本発明において有用なモノマーは、構造的に式Iの因果関係的に不飽和の化合物として表してもよい：
2014529693.tif 000002
式中、R12は水素、ヒドロキシル、メトキシ、またはC1〜C30直鎖もしくは分枝アルキルラジカルであり；R13は水素、またはC1〜30直鎖もしくは分枝アルキル、C1〜30直鎖もしくは分枝アルキル置換アリール、アリール置換C1〜30直鎖もしくは分枝アルキルラジカル、あるいは脂肪族ラジカルのポリオキシアルケン縮合物であり；かつR14は、pH6〜11の間隔の一部にわたる正電荷を有する、1つもしくは複数の4級窒素原子または1つもしくは複数のアミン基のいずれかを含む、ヘテロ原子アルキルまたは芳香族ラジカルである。そのようなアミン基は、約6以上のpKaを有するとさらに描写することもできる。
【０２４４】
式Iのカチオンモノマーの例には、コ-ポリ2-ビニルピリジンおよびそのコ-ポリ2-ビニルN-アルキル4級ピリジニウム塩誘導体；コ-ポリ4-ビニルピリジンおよびそのコ-ポリ4-ビニルN-アルキル4級ピリジニウム塩誘導体；コ-ポリ4-ビニルベンジルトリメチルアンモニウム塩などのコ-ポリ4-ビニルベンジルトリアルキルアンモニウム塩；コ-ポリ2-ビニルピペリジンおよびコ-ポリ2-ビニルピペリジニウム塩；コ-ポリ4-ビニルピペリジンおよびコ-ポリ4-ビニルピペリジニウム塩；コ-ポリ3-メチル1-ビニルイミダゾリウム塩などのコ-ポリ3-アルキル1-ビニルイミダゾリウム塩；コ-ポリジメチルアミノプロピルメタクリルアミド、コ-ポリアクリルアミドプロピルトリメチルアンモニウム塩およびコ-ポリメタクリルアミドプロピルトリメチルアンモニウム塩などのアクリルアミドおよびメタクリルアミド誘導体；コ-ポリジメチルアミノエチル(メタ)アクリラート、コ-ポリエタンアミニウムN,N,Nトリメチル2-[(1-オキソ-2プロペニル)オキシ]-塩、コ-ポリエタンアミニウムN,N,Nトリメチル2-[(2メチル-1-オキソ-2プロペニル)オキシ]-塩、およびコ-ポリエタンアミニウムN,N,Nエチルジメチル2-[(2メチル-1-オキソ-2プロペニル)オキシ]-塩などのアクリラートおよびメタクリラート誘導体が含まれるが、それらに限定されるわけではない。
【０２４５】
本発明に適したカチオンモノマーに同様に含まれるのは、コ-ポリビニルアミノおよびコ-ポリビニルアンモニウム塩；コ-ポリジアリルアミン、コ-ポリメチルジアリルアミン、およびコ-ポリジアリルジメチルアンモニウム塩；ならびに内部カチオンモノマーのイオネンクラスである。このクラスには、''International Cosmetic Ingredient Dictionary'' edited by Wenninger and McEwen中に定義されるとおり、コ-ポリエチレンイミン、コ-ポリエトキシル化エチレンイミンおよびコ-ポリ4級化エトキシル化エチレンイミン；コ-ポリ[(ジメチルイミノ)トリメチレン(ジメチルイミノ)ヘキサメチレン2塩]、コ-ポリ[(ジエチルミノ)トリメチレン(ジメチルアミノ)トリメチレン2塩]；コ-ポリ[(ジメチルアミノ)2-ヒドロキシプロピル塩]；コ-ポリクオテミウム（polyquartemium）-2、コ-ポリクオテミウム-17、およびコ-ポリクオテミウム-18が含まれる。
【０２４６】
本発明に適したカチオンモノマーのさらなる、非常に好ましいクラスは、天然原料から得られるもので、ココジメチルアンモニウムヒドロキシプロピルオキシエチルセルロース、ラウリルジメチルアンモニウムヒドロキシプロピルオキシエチルセルロース、ステアリルジメチルアンモニウムヒドロキシプロピル オキシエチルセルロース、およびステアリルジメチルアンモニウムヒドロキシ エチルセルロース；ガー2-ヒドロキシ-3-(トリメチルアンモニウム)プロピルエーテル塩；ならびにセルロース2-ヒドロキシエチル2-ヒドロキシ3-(トリメチルアンモニオ)プロピルエーテル塩が含まれるが、それらに限定されるわけではない。
【０２４７】
構成しているカチオンコモノマーの対イオンは、ハロゲン化物：塩化物、臭化物、およびヨウ化物から；または水酸化物、リン酸塩、硫酸塩、ヒドロ硫酸塩、得硫酸塩、メチル硫酸塩、ギ酸塩、および酢酸塩から自由に選択される。
【０２４８】
前述のカチオンモノマー単位からなるカチオンポリマーの重量比は、全ポリマーの1から100％、好ましくは10から100％、最も好ましくは15から80％の範囲であり得る。カチオンポリマーを構成する残りのモノマー単位は、アニオンモノマーのクラスおよび非イオン性モノマーのクラスから、または単に非イオン性モノマーのクラスから選択される。前者の場合、ポリマーは両性ポリマーであるが、後者の場合、両性コモノマーが存在しないことを条件として、カチオンポリマーであり得る。両性ポリマーも、ポリマー単位がpH6から11の洗浄pH範囲の1つまたは複数の点で正味の正電荷を有することを条件として、本開示の範囲内であると考えるべきである。
【０２４９】
非イオン性モノマーのクラスには、ビニルアルコール；酢酸ビニル；ビニルメチルエーテル；ビニルエチルエーテル；アクリルアミド、メタクリルアミドおよび他の修飾アクリルアミド；プロピオン酸ビニル；アクリル酸アルキル（アクリル酸またはメタクリル酸のエステル）；ならびにアクリル酸ヒドロキシアルキルエステルが含まれるが、それらに限定されるわけではない。非イオン性モノマーの第二のクラスには、コ-ポリエチレンオキシド、コ-ポリプロピレンオキシド、およびコ-ポリオキシメチレンが含まれる。非イオン性モノマーの第三の、非常に好ましいクラスには、ヒドロキシエチルセルロースなどの天然由来材料が含まれる。
【０２５０】
前述のカチオンポリマーの多くは、いくつかの異なる分子量で合成することができ、市販されている。製品から最適なクリーニングおよび柔軟化性能を得るために、本発明において用いる水溶性カチオンまたは両性ポリマーは適切な分子量のものであることが望ましい。理論に縛られたくはないが、質量が高すぎるポリマーは汚れを取り込み、その除去を妨げうると考えられる。平均分子量が約850,000ダルトン未満のカチオンポリマー、特に平均分子量が500,000ダルトン未満のカチオンポリマーの使用は、適切に調合した製品の柔軟化性能を著しく低減することなく、この効果を最小限にする助けとなり得る。一方、分子量が約10,000ダルトン以下のポリマーは、有効な柔軟化の利益を提供するには小さすぎると考えられる。
【０２５１】
加えて、カチオンポリマーの電荷密度は、柔軟化または着色除去のいずれかに影響をおよぼし得る。電荷密度はカチオン置換の程度に関連し、カチオンポリマーの窒素含有率で表すことができる。好ましいのは、0.01から2.2％のN％を有するカチオンポリマーであり、より好ましいのは0.2から1.6％のN％を有するカチオンポリマーであり、最も好ましいのは0.3から1.4％のN％を有するカチオンポリマーである。
【０２５２】
追加の成分
別の態様において、STTCは繊維処理組成物において使用されることが公知の添加物をさらに含む。
【０２５３】
添加物は核中、水溶性核中、コーティング中に含まれ得、添加物がコーティングの外側または内側表面上で部分的または完全に露出されるようにコーティングと物理的に結合され得、流動性補助剤中、またはそれらの任意の組み合わせ中に含まれ得る。
【０２５４】
添加物は、例えば、漂白剤、漂白活性化剤、酵素、シリコーン油、再付着防止剤、蛍光増白剤、灰色化阻害剤、防縮剤、防しわ剤、色移り防止剤、抗菌剤、殺菌剤、殺真菌剤、抗酸化剤、帯電防止剤、アイロン補助剤、防水剤、含浸剤、膨潤剤、すべり防止剤、UV吸収剤、腐食防止剤、またはそれらの任意の組み合わせであり得る。他の態様において、添加物は、1種または複数種の粘性改変剤（例えば、シリカ、ナトリウムCMC、および液体または液体含有懸濁液の粘性を増加または減少させることが当技術分野において周知の他の作用物質）、1種または複数種の不透明化剤などであり得る。
【０２５５】
添加物は、例えば、STTC中にSTTCの重量に基づき、約0.00001重量％から約10重量％の量で含まれ得る。
【０２５６】
添加物は、例えば、STTCの重量に基づき、約0.0001重量％、約0.001重量％、約0.01重量％、約0.1重量％、約1重量％、約2重量％、約3重量％、約4重量％、約5重量％、約6重量％、約7重量％、約8重量％または約9重量％を構成しうる。
【０２５７】
例えば、STTC中の添加物の量は、例えば、STTCの重量に基づき、約0.0001重量％から約9重量％、約0.0001重量％から約8重量％、約0.0001重量％から約7重量％、約0.0001重量％から約6重量％、約0.0001重量％から約5重量％、約0.0001重量％から約4重量％、約0.0001重量％から約3重量％、約0.0001重量％から約2重量％、または約0.0001重量％から約1重量％の範囲であり得る。
【０２５８】
添加物はSTTC中に、例えば、STTCの重量に基づき、約0.00001重量％から約10重量％、約0.0001重量％から約10重量％、約0.001重量％から約10重量％、約0.01重量％から約10重量％、約0.1重量％から約10重量％、約1重量％から約10重量％、約2重量％から約10重量％、約3重量％から約10重量％、約4重量％から約10重量％、約5重量％から約10重量％、約6重量％から約10重量％、約7重量％から約10重量％、約8重量％から約10重量％、または約9重量％から約10重量％の範囲量で含まれ得る。
【０２５９】
クリーニング剤組成物
本発明の1つの態様は、洗剤およびSTTCを含むクリーニング剤組成物である。洗剤は界面活性剤を含み得る。界面活性剤は、例えば、中性界面活性剤、カチオン界面活性剤、アニオン界面活性剤、両性イオン界面活性剤、またはそれらの任意の組み合わせであり得る。
【０２６０】
含まれる組成物
本発明の1つの態様は、STTCまたはクリーニング剤組成物を含む容器である。容器は、例えば、プラスチック、紙、金属、またはそれらの任意の組み合わせを含み得る。容器は、その中に含まれるSTTCまたはクリーニング剤組成物を使用するための説明書を含み得る。説明書は任意の言語、例えば、英語、スペイン語、ドイツ語、フランス語、またはオランダ語であり得る。
【０２６１】
特定のそのような態様において、容器は、小袋などの水溶性容器である。本発明のSTTCまたはクリーニング剤組成物との使用に適した、単位用量容器およびその製造法には、例えば、米国特許第3,218,776号；第4,776,455号；第6,727,215号；第6,878,679号；第7,259,134号；第7,282,472号；第7,304,025号；第7,329,441号；第7,439,215号；第7,464,519号；および第7,595,290号；ならびに米国特許出願公開第2012/0108487 A1号に記載のものが含まれ；それらすべての開示はその全体が参照により本明細書に組み入れられる。好ましいそのような態様において、容器は水溶性膜から調製した、水溶性の、単一区画容器である。本発明の1つのそのような局面によれば、単一区画容器は、ポリビニルアルコール（PVOH）またはPVOH膜などの、水溶性ポリマーまたは膜から生成した、形成、密封小袋である。
【０２６２】
本発明の組成物において用いる水溶性容器は、水との接触後に溶解、破裂、分散、または崩壊し、それにより容器内に含まれる組成物またはクリーニング系を放出する、水溶性材料から作製する。好ましい態様において、小袋の形態であり得る、単一区画または区分の密封水溶性容器を、水溶性ポリマーから作製する。適切なそのような水溶性ポリマーの非限定例には、ポリビニルアルコール、セルロースエーテル、ポリエチレンオキシド、デンプン、ポリビニルピロリドン、ポリアクリルアミド、ポリアクリロニトリル、ポリビニルメチルエーテル-無水マレイン酸、ポリ無水マレイン酸、スチレン無水マレイン酸、ヒドロキシエチルセルロース、メチルセルロース、ポリエチレングリコール、カルボキシメチルセルロース、ポリアクリル酸塩、アルギン酸塩、アクリルアミドコポリマー、ガーゴム、カゼイン、エチレン-無水マレイン酸樹脂、ポリエチレンイミン、エチルヒドロキシエチルセルロース、エチルメチルセルロース、ヒドロキシエチルメチルセルロース、およびその混合物が含まれる。1つの態様において、水溶性容器は低分子量水溶性ポリビニルアルコール膜形成樹脂から作製される。
【０２６３】
小袋を生成するために好ましい水溶性ポリマーは、MONOSOL(登録商標)（MonoSol LLC, Indiana）の商標で販売されているポリビニルアルコール（PVOH）樹脂である。好ましい等級は、重量平均分子量が約55,000から65,000の範囲で、数平均分子量が約27,000から33,000のMONOSOL(登録商標)膜である。好ましくは、膜材料は約3ミルまたは75マイクロメートルの厚さを有する。または、Monosol（Merrillville, IN)（例えば、Monosol film M8630）またはAicello（Aiichi, Japan； North Vancouver, BC, Canadaの北米子会社）（例えば、Aicello fil PT75）から市販されているものなどの、市販の等級のPVOH膜は本発明において用いるのに適している。
【０２６４】
いくつかの態様において、水溶性容器は架橋剤をさらに含む。いくつかの態様において、架橋剤はホルムアルデヒド、ポリエステル、エポキシド、イソシアナート、ビニルエステル、ウレタン、ポリイミド；ヒドロキシル基、カルボン酸基、イソシアナート基または活性エステル基を有するアクリル樹脂；ビス(メタクリロキシプロピル)テトラメチルシロキサン（スチレン、メチルメタクリラート）、n-ジアゾピルバート、フェニルボロン酸、シスプラチン、ジビニルベンゼン（スチレン、二重結合）、ポリアミド、ジアルデヒド、トリアリルシアヌラート、N-(2-エタンスルホニルエチル)ピリジニウムハロゲン化物、テトラアルキルチタナート、チタナート、ボラート、ジルコナート、またはその混合物からなる群より選択される。1つの態様において、架橋剤はホウ酸またはホウ酸ナトリウムである。
【０２６５】
さらなる態様において、水溶性容器またはそれが作製される膜は、1種または複数種の香料または芳香剤、1種または複数種の酵素、1種または複数種の界面活性剤、1種または複数種のすすぎ剤、1種または複数種の染料、1種または複数種の機能的または審美的粒子などの、1種または複数種の追加の成分、作用物質または特徴を含み得る。そのような成分、作用物質または特徴は、膜の製造時にその中もしくは表面に組み込むことができ、または本発明のクリーニング組成物の製造工程中に、膜生成分野において公知の方法を用いて、膜上に都合よく導入される。
【０２６６】
いくつかの態様において、水溶性容器は小袋中の膜ポリマーと組成物との間に保護層を含む。いくつかの態様において、保護層はポリテトラフルオロエチレン（PTFE）である。
【０２６７】
本発明の組成物と関連して用いる、単一区画の水溶性容器（例えば、小袋）は、任意の望ましい形状およびサイズであり得、成形、鋳造、押出または吹込み成形などの、任意の適切な様式で調製してもよく、次いで自動充填法を用いて充填する。本発明に従って用いるのに適した、水溶性容器の生成法および充填法の例は、米国特許第3,218,776号；第3,453,779号；第4,776,455号；第5,699,653号；第5,722,217号；第6,037,319号；第6,727,215号；第6,878,679号；第7,259,134号；第7,282,472号；第7,304,025号；第7,329,441号；第7,439,215号；第7,464,519号；および第7,595,290号に記載されており、そのすべての開示はそれら全体が参照により本明細書に組み入れられる。好ましい態様において、小袋に本発明のSTTCおよび/またはクリーニング剤組成物を、米国特許第3,218,776号および第4,776,455号に記載の空隙充填アプローチを用いて充填し；この方法を実施するのに必要な機械類は、例えば、Cloud Packaging Solutions（Des Plaines, IL；Ryt-way Industries, LLC, Lakeville, MNの一部門）から市販されている。
【０２６８】
方法
1つの態様において、STTCの作製法を提供する。方法は、核をコーティングで少なくとも部分的または完全にコーティングする段階、および流動性補助剤を部分的または完全にコーティングした核に適用してSTTCを生成する段階を含む。核は担体を含み得、担体は水溶性であり得、核は水溶性であり得、かつ核または水溶性核は担体または水溶性担体からなり得る。コーティングは、例えば、着色剤、水溶性ポリマー、および着色剤安定化剤を含み得る。コーティングは香料をさらに含みうる。流動性補助剤は布地柔軟剤を含み得る。流動性補助剤は、コーティングの外側表面上で部分的または完全に露出されるように、コーティングと物理的に結合され得る。
【０２６９】
別の態様において、クリーニング剤組成物の作製法であって、STTCを洗剤と混和する、または混合する、または組み合わせる段階を含む方法を提供する。洗剤は界面活性剤を含み得る。
【０２７０】
洗剤のSTTCに対する比は、例えば、約100：1から約1：100の重量比であり得る。
【０２７１】
洗剤のSTTCに対する比は、例えば、約90：1、約80：1 、約70：1、約60：1、約50：1、約40：1、約30：1、約20：1、約10：1、約1：10、約1：20、約1：30、約1：40、約1：50、約1：60、約1：70、約1：80、または約1：90の重量比であり得る。
【０２７２】
別の態様において、繊維の処理法であって、繊維、水、およびSTTCを組み合わせる、または混合する、または混和する段階を含む方法を提供する。STTCの量は、例えば、約0.001gから約1kgであり得る。STTCの量は、例えば、約0.01g、約0.1g、約1g、約2g、約3g、約4g、約5g、約6g、約7g、約8g、約9g、約10g、約25g、約50g、約100g、約200g、約300g、約400g、約500g、約600g、約700g、約800g、または約900gであり得る。
【０２７３】
さらなる態様において、繊維をクリーニング剤組成物でクリーニングする方法またはクリーニングおよび処理する方法であって、繊維、水、およびクリーニング剤組成物を組み合わせる、または混合する、または混和する段階を含む方法を提供する。クリーニング剤組成物の量は、例えば、約0.001gから約1kgであり得る。クリーニング剤組成物の量は、例えば、約0.01g、約0.1g、約1g、約2g、約3g、約4g、約5g、約6g、約7g、約8g、約9g、約10g、約25g、約50g、約100g、約200g、約300g、約400g、約500g、約600g、約700g、約800g、または約900gであり得る。
【０２７４】
別の態様において、粒状組成物、固体組成物、または液体組成物中の着色剤を安定化する方法であって、着色剤を着色剤安定化剤で安定化する段階を含む方法を提供する。着色剤安定化剤を組成物中に組み込むことができる。1つの態様において、組成物を構成する場合、着色剤安定化剤を着色剤と同じ下部構造もしくは異なる下部構造に、または1つ、もしくは2つ、もしくは3つ、もしくはそれ以上、もしくはすべての下部構造に組み込む。
【０２７５】
さらなる態様において、粒状組成物、固体組成物、または液体組成物がその販売有効期限を超えた時を、該組成物が実質的に無色または無色になることによって視覚的に示す方法であって、組成物中で着色剤安定化剤と着色剤とを、組成物がその販売有効期限または販売有効期限頃までに実質的に無色または無色にならないような量で混和する、または組み合わせる、または混合する段階を含む方法を提供する。したがって、1つの態様において、STTCまたは組成物を着色剤および着色剤安定化剤と、STTCまたは組成物がその販売有効期限または販売有効期限頃までに実質的に無色または無色にならないように調合することができる。
【０２７６】
本方法によって作製された組成物
1つの態様において、本方法によって作製されたSTTCを提供する。本方法は、核をコーティングで少なくとも部分的または完全にコーティングする段階、および流動性補助剤を部分的または完全にコーティングした核に適用してSTTCを生成する段階を含む。核は担体を含み得、担体は水溶性であり得、核は水溶性であり得、かつ核または水溶性核は担体または水溶性担体からなり得る。コーティングは、例えば、着色剤、水溶性ポリマー、および着色剤安定化剤を含み得る。コーティングは香料をさらに含みうる。流動性補助剤は布地柔軟剤を含み得る。流動性補助剤は、例えば、コーティングの外側表面上で部分的または完全に露出されるようにコーティングと物理的に結合され得る。
【０２７７】
別の態様において、STTCおよび洗剤を混和する、または混合する、または 組み合わせる段階を含む方法によって作製された、クリーニング剤組成物を提供する。洗剤は界面活性剤を含み得る。
【０２７８】
洗剤のSTTCに対する比は、例えば、約100：1から約1：100の重量比であり得る。洗剤のSTTCに対する比は、例えば、約90：1、約80：1 、約70：1、約60：1、約50：1、約40：1、約30：1、約20：1、約10：1、約1：10、約1：20、約1：30、約1：40、約1：50、約1：60、約1：70、約1：80、または約1：90の重量比であり得る。
【０２７９】
別の態様において、粒状組成物または固体組成物を、着色剤および着色剤安定化剤を混合する、または混和する、または 組み合わせて固体組成物を生成する段階を含む方法によって作製する。固体または粒状組成物を構成し得る。固体または粒状組成物はSTTCであり得る。固体または粒状組成物を構成する場合、着色剤および着色剤安定化剤は同じ下部構造もしくは層、または異なる下部構造もしくは層に、あるいは1つ、もしくは2つ、もしくは3つ、もしくはすべての下部構造にあり得る。組成物中、着色剤を少なくとも部分的に着色剤安定化剤によって安定化する。
【０２８０】
着色剤は様々な期間、例えば、約1週間から約10年の間安定化し得る。
【０２８１】
着色剤は、例えば、約2週間、約3週間、約4週間、約1ヶ月、約2ヶ月、約3ヶ月、約4ヶ月、約5ヶ月、約6ヶ月、約7ヶ月、約8ヶ月、約9ヶ月、約10ヶ月、約11ヶ月、約1年、約2年、約3年、約4年、約5年、約6年、約7年、約8年、または約9年の間安定化し得る。
【０２８２】
着色剤は、例えば、少なくとも2週間、少なくとも3週間、少なくとも4週間、少なくとも1ヶ月、少なくとも2ヶ月、少なくとも3ヶ月、少なくとも4ヶ月、少なくとも5ヶ月、少なくとも6ヶ月、少なくとも7ヶ月、少なくとも8ヶ月、少なくとも9ヶ月、少なくとも10ヶ月、少なくとも11ヶ月、少なくとも1年、少なくとも2年、少なくとも3年、少なくとも4年、少なくとも5年、少なくとも6年、少なくとも7年、少なくとも8年、少なくとも9年、または少なくとも10年の間安定化し得る。
【０２８３】
固体の洗浄サイクルコンディショニング剤（「SWCCA」）
別の態様において、SWCCAを提供する。
【０２８４】
米国特許第7,871,976号は、ポリエチレングリコールおよび、いくつかの態様において、香錠の形態であり得る香料を有する洗濯用香り添加物を開示している。
【０２８５】
出願人らは、予想外に、本明細書に記載のSWCCAは望ましいことに約25℃で固体であり、かつ冷水、温水、および熱水に溶解性である一方、SWCCA処理した繊維を続いて乾燥機で乾燥するか、または繊維をロープにかけて乾燥した場合に、良好な洗浄力、持続性の芳香効果、繊維柔軟化、または繊維の静電気蓄積低減のうちの1つまたは複数を付与することを見いだした。
【０２８６】
SWCCAは、例えば、1種または複数種の非イオン性界面活性剤、1種または複数種の布地コンディショニング剤、任意に1種または複数種の可塑剤、任意に1種または複数種の着色剤、任意に1種または複数種の着色剤安定化剤、および任意に1種または複数種の香料を含み得る。いくつかの態様において、SWCCAは核を完全または部分的にコーティングし得る。
【０２８７】
SWCCA中の成分を均質または不均質に混合し得る。
【０２８８】
いくつかの態様において、SWCCA中の成分を均質に混合する。
【０２８９】
非イオン性界面活性剤
非イオン性界面活性剤は、例えば、ヒドロキシル-ヒドロキシポリ(オキシエチレン)ポリ(オキシプロピレン)-ポリ(オキシエチレン)-ブロックコポリマー（例えば、ヒドロキシル末端EO/PO/EOブロックコポリマー）であり得る。ブロックコポリマーは、例えば、エチレンオキシド/プロピレンオキシドブロックコポリマー（EP/POコポリマー）であり得る。ブロックコポリマーは、例えば、PO/EO/POブロックコポリマー、EO/POブロックコポリマー、またはPO/EOブロックコポリマーであり得、それらはすべて一方または両方の末端で任意にヒドロキシル末端であってもよい。
【０２９０】
非イオン性界面活性剤またはブロックコポリマーは、個別に、親水性-親油性バランス（HLB）を有し得る。
【０２９１】
HLBは、例えば、GriffinまたはDaviesの方法を用いて計算することができる（Griffin, W.C., ''Classification of Surface-Active Agents by 'HLB','' J. Soc. Cosmetic Chemists 1:311 (1949)；Davies, J.T., ''A Quantitative Kinetic Theory of Emulsion Type, I. Physical Chemistry of the Emulsifying Agent,'' Gas/Liquid and Liquid/Liquid Interface. Proceedings the International Congress of Surface Activity 426-438 (1957)。Daviesの方法はより高いHLB値を計算するために有用である。または、McCutcheon's Emulsifiers and Detergentsは、市販の非イオン性界面活性剤のHLB値を提供する。
【０２９２】
非イオン性界面活性剤またはブロックコポリマーは、例えば、個別に、約19から約35のHLBを有し得る。
【０２９３】
非イオン性界面活性剤またはブロックコポリマーは、例えば、個別に、約20から約35、約22から約35、約24から約35、約25から約35、約26から約35、約28から約35、約30から約35、約32から約35、約32から約19、約30から約19、約28から約19、約25から約19、約24から約19、約22から約19、約20から約19、約22から約33、約24から約31、または約25から約29のHLBを有し得る。
【０２９４】
非イオン性界面活性剤またはブロックコポリマーは、例えば、個別に、少なくとも20、少なくとも22、少なくとも24、少なくとも25、少なくとも26、少なくとも28、少なくとも30、少なくとも32、または少なくとも35のHLBを有し得る。
【０２９５】
非イオン性界面活性剤またはブロックコポリマーは、例えば、個別に、約20、約22、約24、約25、約26、約28、約30、約32、または約34のHLBを有し得る。
【０２９６】
非イオン性界面活性剤またはブロックコポリマーは、個別に、例えば、約3,000から約12,000の重量平均分子量を有し得る。重量平均分子量は、例えば、約3,500から約12,000、約4,000から約12,000、約4,500から約12,000、約5,000から約12,000、約5,500から約12,000、約6,000から約12,000、約6,500から約12,000、約7,000から約12,000、約7,500から約12,000、約8,000から約12,000、約8,500から約12,000、約9,000から約12,000、約9,500から約12,000、約10,000から約12,000、約10,500から約12,000、約11,000から約12,000、約11,500から約12,000、約11,500から約3,000、約11,000から約3,000、約10,500から約3,000、約10,000から約3,000、約9,500から約3,000、約9,000から約3,000、約8,500から約3,000、約8,000から約3,000、約7,500から約3,000、約7,000から約3,000、約6,500から約3,000、約6,000から約3,000、約5,500から約3,000、約5,000から約3,000、約4,500から約3,000、約4,000から約3,000、約3,500から約3,000、約3,200から約11,400、約3,500から約11,000、約4,000から約10,500、約4,500から約10,000、約4,700から約8,400、または約5,500から約7,000の範囲であり得る。
【０２９７】
非イオン性界面活性剤またはブロックコポリマーの例には、PLURONIC-F38（BASF）、PLURONIC-F68（BASF）、PLURONIC-F77（BASF）、PLURONIC-F87（BASF）およびPLURONIC-F88（BASF）が含まれるが、それらに限定されるわけではない。
【０２９８】
SWCCAは、例えば、SWCCAの重量に基づき、約90重量％から約60重量％の量の、非イオン性界面活性剤またはブロックコポリマーの総量を含み得る。
【０２９９】
非イオン性界面活性剤またはブロックコポリマーは、例えば、SWCCAの重量に基づき、約90重量％から約65重量％、約90重量％から約70重量％、約90％から約75重量％、約90％から約80重量％、約90重量％から約85重量％、約60重量％から約85重量％、約60重量％から約80重量％、約60重量％から約75重量％、約60重量％から約70重量％、約60重量％から約65重量％、約70重量％から約80重量％の総量でSWCCA中に含まれ得る。
【０３００】
いくつかの態様において、例えば、SWCCA中の非イオン性界面活性剤またはブロックコポリマーの総量のいくらか、またはすべては、1種もしくは複数種のソルビタンエステルで置き換えられるか、または1種もしくは複数種のソルビタンエステルであり得る。ソルビタンエステルは、例えば、任意にエトキシル化および/またはプロピルオキシル化および/または脂肪酸でエステル化され得る。任意に脂肪酸でエステル化される場合、ソルビタンエステルは、例えば、モノラウリン酸エステル、モノパルミチン酸エステル、モノステアリン酸エステル、またはモノオレイン酸エステルの1つまたは複数を生成しうる。1種または複数種のソルビタンエステルは1種または複数種のポリソルベートであり得る。ポリソルベートの例には、以下のポリソルベートの1つまたは複数が含まれるが、それらに限定されるわけではない： 21、22、23、24、25、26、27、28、29、30、31、32、33、34、35、36、37、38、39、40、41、42、43、44、45、46、47、48、49、50、51、52、53、54、55、56、57、58、59、60、61、62、63、64、65、66、67、68、69、70、71、72、73、74、75、76、77、78、79、80、81、82、83、84および85。
【０３０１】
いくつかの態様において、ポリソルベートは以下のポリソルベートの1つまたは複数であり得る：20、21、40、60、61、65、80および85。いくつかの態様において、ソルビタンエステルはトゥイーン61である。
【０３０２】
1種または複数種のソルビタンエステルまたはポリソルベートが存在する場合、これらは、例えば、SWCCA中の非イオン性界面活性剤またはブロックコポリマーの総量の約1％から約100％であり得、またはそれに取って代わりうる。
【０３０３】
ソルビタンエステルまたはポリソルベートは、例えば、SWCCA中の非イオン性界面活性剤またはブロックコポリマーの総重量の約10％から約100％、約20％から約100％、約30％から約100％、約40％から約100％、約50％から約100％、約60％から約100％、約70％から約100％、約80％から約100％、約90％から約100％、約1％から約90％、約1％から約80％、約1％から約70％、約1％から約60％、約1％から約50％、約1％から約40％、約1％から約30％、約1％から約20％、約1％から約10％、約10％から約90％、約20％から約80％、約30％から約70％、または約40％から約60％であり得、またはそれに取って代わり得る。
【０３０４】
ソルビタンエステルまたはポリソルベートは、例えば、SWCCA中の非イオン性界面活性剤またはブロックコポリマーの総重量の約1％、約5％、約10％、約15％、約20％、約25％、約30％、約35％、約40％、約45％、約50％、約55％、約60％、約65％、約70％、約75％、約80％、約85％、約90％、約95％、または100％であり得、またはそれに取って代わり得る。
【０３０５】
布地コンディショニング剤
SWCCAは1種または複数種の布地コンディショニング剤を含み得る。布地コンディショニング剤には、例えば、1種または複数種の4級アンモニウム塩が含まれ得る。布地コンディショニング剤には、例えば、下記が含まれ得る：
2014529693.tif 000003
（対イオンアニオン（X-）が存在するが、示していない）。
【０３０６】
前記の構造中、R基は、例えば、アシル基であり得る。アシル基は、例えば、アルキル、またはアルケニル、またはアルキニルである鎖を有し得る。アルキル、アルケニル、またはアルキニル鎖は、例えば、分枝もしくは直鎖、置換もしくは無置換、環状であり得、または任意に、例えば、酸素、硫黄、もしくは窒素であり得る1つもしくは複数のヘテロ原子が割り込みうる。アシル基の鎖がアルケニル鎖である場合、鎖は、例えば、1つ、または2つ、または3つ、または4つ、または5つ、または6つ、または7つ、または8つ、または9つ、またはそれ以上の二重結合を含み得る。アシル基のアルケニル鎖に複数の二重結合が存在する場合、二重結合は、例えば、共役二重結合でも非共役二重結合でもよく、または共役二重結合と非共役二重結合の組み合わせでもよい。アシル基の鎖がアルキニル鎖である場合、鎖は、例えば、1つ、または2つ、または3つ、または4つ、または5つ、または6つ、または7つ、または8つ、または9つ、またはそれ以上の三重結合を含み得る。アシル基の鎖に複数の三重結合が存在する場合、三重結合は、例えば、共役三重結合でも非共役三重結合でもよく、または共役三重結合と非共役三重結合の組み合わせでもよい。アシル基は1つまたは複数の三重結合および1つまたは複数の二重結合の組み合わせを含み得る。
【０３０７】
アシル基は、例えば、1から20個の炭素原子（カルボニル基の炭素原子を含む）を含み得る。したがって、アシル基は、例えば、1から15個の炭素原子、1から10個の炭素原子、1から5個の炭素原子、5から20個の炭素原子、10から20個の炭素原子、15から20個の炭素原子、または5から15個の炭素原子（カルボニル基の炭素原子を含む）を含み得る。
【０３０８】
アシル基は、例えば、以下の数の炭素原子を含み得る；1、2、3、4、5、6、7、8、9、10、11、12、13、14、15、16、17、18、19または20個の炭素原子（カルボニル基の炭素原子を含む）。
【０３０９】
前記の構造中、R基は、例えば、アルキル基、アルケニル基、またはアルキニル基であり得る。アルキル、アルケニル、またはアルキニル基は、例えば、分枝または直鎖、置換または無置換、環状であり得、かつ任意に、例えば、酸素、硫黄、または窒素であり得る1つまたは複数のヘテロ原子が割り込みうる。R基がアルケニル基である場合、基は、例えば、1つ、または2つ、または3つ、または4つ、または5つ、または6つ、または7つ、または8つ、または9つ、またはそれ以上の二重結合を含み得る。アルケニル基に複数の二重結合が存在する場合、二重結合は、例えば、共役二重結合でも非共役二重結合でもよく、または共役二重結合と非共役二重結合の組み合わせでもよい。R基がアルキニル基である場合、基は、例えば、1つ、または2つ、または3つ、または4つ、または5つ、または6つ、または7つ、または8つ、または9つ、またはそれ以上の三重結合を含み得る。アルキニル基の鎖に複数の三重結合が存在する場合、三重結合は、例えば、共役三重結合でも非共役三重結合でもよく、または共役三重結合と非共役三重結合の組み合わせでもよい。R基は1つまたは複数の三重結合および1つまたは複数の二重結合の組み合わせを含み得る。
【０３１０】
アルキル、アルケニル、またはアルキニル基は、例えば、1から20個の炭素原子を含み得る。したがって、基は、例えば、1から15個の炭素原子、1から10個の炭素原子、1から5個の炭素原子、5から20個の炭素原子、10から20個の炭素原子、15から20個の炭素原子、または5から15個の炭素原子を含み得る。
【０３１１】
アルキル、アルケニル、またはアルキニル基は、例えば、以下の数の炭素原子を含み得る：1、2、3、4、5、6、7、8、9、10、11、12、13、14、15、16、17、18、19または20個の炭素原子。
【０３１２】
カチオン界面活性剤のアニオン対イオンは限定されない。アニオン対イオンは、例えば、フッ素アニオン（F-）、塩素アニオン（Cl-）、臭素アニオン（Br-）、またはヨウ素アニオン（I-）であり得る。アニオン対イオンは、例えば、硫酸イオン、亜硫酸イオン、硝酸イオン、リン酸イオン、亜リン酸イオン、亜硫酸水素イオン、炭酸イオン、炭酸一水素イオン、リン酸一水素イオン、リン酸二水素イオン、酢酸イオン、クエン酸イオン、乳酸イオン、ピルビン酸イオン、ケイ酸イオン、アスコルビン酸イオン、亜硝酸イオン、またはそれらの任意の組み合わせであり得る。アニオン対イオンが-1よりも大きい負電荷（例えば、-2、-3）を有する場合、例えば、正に荷電したアンモニウム含有分子の数を調節して、負電荷と正電荷とを釣り合わせる。
【０３１３】
いくつかの態様において、布地コンディショニング剤は、例えば、塩化トリメチル牛脂アミドプロピルアンモニウム、塩化トリメチルココアルキルアミドプロピルアンモニウム、塩化トリメチルエルシルアミドプロピルアンモニウム、およびメト硫酸トリメチル水素化牛脂アルキルアミドプロピルアンモニウムの1つまたは複数であり得る。
【０３１４】
いくつかの態様において、布地コンディショニング剤は、例えば、ARQUAD 12-35W（AkzoNobel）、ARQUAD 16-29（AkzoNobel）、ARQUAD 16-50（AkzoNobel）、ARQUAD 2C-75（AkzoNobel）、ARQUAD 2.10-80（AkzoNobel）、ARQUAD MCB-50（AkzoNobel）、ARQUAD SV-50（AkzoNobel）、ARQUAD SV-60 PG（AkzoNobel）、ETHOQUAD C/25（AkzoNobel）、ARMOSOFT TWS-1（AkzoNobel）、またはそれらの任意の組み合わせの1つまたは複数であり得る。好ましくは、布地コンディショニング剤は、アルキルトリメチルアンモニウム化合物もしくはアミドプロピルトリメチルアンモニウム化合物の1つもしくは複数、または好ましくはARMOSOFT(登録商標) TWS-1（AkzoNobel）である。
【０３１５】
SWCCAは布地コンディショニング剤を、例えば、SWCCAの総重量に基づき、約10重量％から約25重量％の総量で含み得る。
【０３１６】
布地コンディショニング剤はSWCCA中に、例えば、SWCCAの総重量に基づき、約10重量％から約25重量％、約10重量％から約20重量％、約10重量％から約15重量％、約15重量％から約25重量％、約20重量％から約25重量％、約10重量％から約20重量％、または約15重量％から約20重量％の総量で含まれ得る。
【０３１７】
布地コンディショニング剤はSWCCA中に、例えば、SWCCAの総重量に基づき、約10重量％、約12重量％、約15重量％、約16重量％、約17重量％、約18重量％、約19重量％、約20重量％、約21重量％、約22重量％、約23重量％、または約24重量％の総量で含まれ得る。
【０３１８】
可塑剤
SWCCAは、いくつかの態様において、可塑剤を含まない。
【０３１９】
いくつかの態様において、SWCCAは1種または複数種の可塑剤を含む。1種または複数種の可塑剤は、例えば、ステアリン酸グリセリル、ステアリン酸ポリエチレングリコール（PEG）100、ステアリン酸PEG 200、ステアリン酸PEG 300、ステアリン酸PEG 400、ステアリン酸PEG 500、ステアリン酸PEG 600、ステアリン酸PEG 700、ステアリン酸PEG 800、ステアリン酸PEG 900、ステアリン酸PEG 1,000、ステアリン酸PEG 2,000、ステアリン酸PEG 3,000、ステアリン酸PEG 4,000、ステアリン酸PEG 5,000、ステアリン酸PEG 6,000、ステアリン酸PEG 7,000、ステアリン酸PEG 8,000、ステアリン酸PEG 9,000、ステアリン酸PEG 10,000、クエン酸アセチルトリブチル、クエン酸アセチルトリエチル、安息香酸ベンジル、酢酸フタル酸セルロース、クロルブタノール、デキストリン、フタル酸ジブチル、ジブチルセカケート（dibutyl secacate）、フタル酸ジエチル、フタル酸ジメチル、グリセリン、モノステアリン酸グリセリン、フタル酸ヒプロメロース、マンニトール、鉱油、ラノリンアルコール、パルミチン酸、ポリエチレングリコール、酢酸フタル酸ポリビニル、プロピレングリコール、2-ピロリドン、ソルビトール、ステアリン酸、トリアセチン、クエン酸トリブチル、トリエチルタノールアミン、およびクエン酸トリエチルであり得る。
【０３２０】
いくつかの態様において、1種または複数種の可塑剤は、ステアリン酸PEG 100およびモノステアリン酸グリセリルの組み合わせであり得る。ステアリン酸PEG 100およびモノステアリン酸グリセリルの特定の混和物はHALLSTAR GMS SE/ASである。
【０３２１】
いくつかの態様において、SWCCAは、例えば、SWCCAの総重量に基づき、約8重量％から約15重量％の1種または複数種の可塑剤の総量を含み得る。SWCCAは1種または複数種の可塑剤を、例えば、SWCCAの総重量に基づき、約8重量％から約15重量％、約9重量％から約15重量％、約10重量％から約15重量％、約11重量％から約15重量％、約12重量％から約15重量％、約13重量％から約15重量％、約8重量％から約13重量％、約8重量％から約10重量％、または約9重量％から約13重量％の総量で含み得る。
【０３２２】
SWCCAは、例えば、SWCCAの総重量に基づき、約8重量％、約9重量％、約10重量％、約11重量％、約12重量％、約13重量％ 約14重量％、または約15重量％の1種または複数種の可塑剤の総量を含み得る。
【０３２３】
着色剤
いくつかの態様において、SWCCAは着色剤を含まない。
【０３２４】
いくつかの態様において、SWCCAは1種または複数種の着色剤を含む。
【０３２５】
着色剤は、例えば、ポリマーであり得る。
【０３２６】
着色剤は、例えば、染料であり得る。
【０３２７】
着色剤は、例えば、水溶性ポリマー着色剤であり得る。
【０３２８】
着色剤は、例えば、水溶性染料であり得る。
【０３２９】
着色剤は、例えば、当技術分野において周知または染料もしくは化学物質製造業者から市販されている着色剤であり得る。
【０３３０】
着色剤の色は限定されず、例えば、赤、橙、黄、青、藍、紫、またはそれらの任意の組み合わせであり得る。
【０３３１】
着色剤は、例えば、1種または複数種のMilliken LIQUITINT着色剤であり得る。着色剤は、例えば、Milliken LIQUITINT：VIOLET LS、ROYAL MC、BLUE HP、BLUE MC、AQUAMARINE、GREEN HMC、BRIGHT YELLOW、YELLOW LP、YELLOW BL、BRILLIANT ORAGNE、CRIMSON、RED MX、PINK AL、RED BL、RED ST、またはそれらの任意の組み合わせであり得る。
【０３３２】
着色剤は、例えば、Acid Blue 80、Acid Red 52、およびAcid Violet 48の1つまたは複数であり得る。
【０３３３】
Acid Blue 48は以下の化学構造を有する：
2014529693.tif 000004
。
【０３３４】
Acid Red 52は以下の化学構造を有する：
2014529693.tif 000005
。
【０３３５】
Acid Violet 48は以下の化学構造を有する：
2014529693.tif 000006
。
【０３３６】
着色剤をAcid Blue 80、Acid Red 52、およびAcid Violet 48からなる群より選択する場合、SWCCAは、任意に、着色剤安定化剤を含まない。驚くことに、Acid Blue 80、Acid Red 52、およびAcid Violet 48は経時的に著しい変色を示さず、したがって着色剤安定化剤なし（例えば、非存在下）で用いることができる。
【０３３７】
SWCCA中に含まれ得る1種または複数種の着色剤の総量は、例えば、SWCCAの総重量に基づき、約0.00001重量％から約0.099重量％の範囲であり得る。SWCCA中の着色剤の総量は、例えば、SWCCAの総重量に基づき、約0.0001重量％、約0.001重量％、約0.01重量％、約0.05重量％、または約0.08重量％であり得る。
【０３３８】
着色剤安定化剤
いくつかの態様において、SWCCAは任意に着色剤安定化剤を含み得る。着色剤安定化剤は本明細書において開示している。いくつかの態様において、着色剤安定化剤はクエン酸であり得る。
【０３３９】
SWCCA中に任意に存在する着色剤安定化剤の総量は、例えば、SWCCAの総重量に基づき、約0.01重量％から約5.0重量％の範囲であり得る。SWCCA中の着色剤安定化剤の総量は、例えば、SWCCAの総重量に基づき、約0.1重量％、約1重量％、約2重量％、約3重量％、または約4重量％であり得る。
【０３４０】
香料
SWCCAは任意に1種または複数種の香料を含み得る。1種または複数種の香料すべてのうちの一部は任意に、例えば、マイクロカプセルまたはナノカプセル中にカプセル化し得る。適切な香料は本明細書において開示し、当業者には周知で、Firmenich、Givaudan、International Flavors and Fragrances（IFF）、Orientalなどの様々な供給業者から市販されている。
【０３４１】
SWCCA中に任意に存在する香料の総量は、例えば、SWCCAの総重量に基づき、約0.10重量％から約10.0重量％の範囲であり得る。香料の総量は、例えば、SWCCAの総重量に基づき、約0.5重量％、約1重量％、約2重量％、約4重量％、約6重量％、または約8重量％であり得る。
【０３４２】
他の成分
SWCCAは任意に本明細書に開示する他の成分を含み得る。いくつかの任意の成分は、例えば、U.S.粉糖10×、DISINTEX 75、ポリビニルピロリドンK15、硫酸ナトリウム、および塩化ナトリウムであり得る。
【０３４３】
形態
SWCCAの形態は限定されず、例えば、粉末、微粉末、錠剤、香錠、または結晶状（例えば、結晶）であり得る。SWCCAは、例えば、錠剤であり得る単位用量の形態であり得る。錠剤サイズが一定の点まで増大するにつれて、崩壊剤を含有する必要が生じる。崩壊剤は、1種または複数種の公知の崩壊剤であり得る。崩壊剤は、例えば、ヒドロキシプロピルデンプン、乳糖、コーンスターチ、アルギン酸、アルギン酸カルシウム、カルボキシメチルセルロースカルシウム、カルボキシメチルセルロースナトリウム、セルロース、粉末セルロース、キトサン、コロイド状二酸化ケイ素、コーンスターチおよびアルファ化デンプン、クロスカルメロースナトリウム、クロスポビドン、ドクセートナトリウム、グリシン、ガーゴム、低置換度ヒドロキシプロピルセルロース、ケイ酸アルミニウムマグネシウム、メチルセルロース、微結晶セルロース、ポラクリリンカリウム、ポビドン、アルギン酸ナトリウム、デンプングリコール酸ナトリウム、アルファ化デンプン、DISINTEX 75、またはそれらの任意の組み合わせの1つまたは複数であり得る。崩壊剤は任意にSWCCA中に、例えば、SWCCAの総重量に基づき、約0.1重量％から約10重量％の範囲で存在し得る。SWCCA中の崩壊剤の総量は、例えば、SWCCAの総重量に基づき、約1重量％、約3重量％、約5重量％、約7重量％、または約9重量％であり得る。香錠または結晶または粉末または錠剤を、例えば、一緒に組み合わせ得る。組み合わせは、例えば、同じ量の同じ成分を有する香錠もしくは結晶もしくは粉末もしくは錠剤を含み得、または、例えば、異なる成分、もしくは同じ成分の異なる量を含み得る。SWCCAは洗剤と共に含まれて、クリーニング剤組成物を生成し得る。クリーニング剤組成物は本明細書において開示しており、SWCCAはクリーニング剤組成物においてSTTCに取って代わる、またはSTTCを増強し得る。
【０３４４】
使用法
SWCCAを用いて繊維を処理する（すなわち、処理した繊維を続いて乾燥するときに、香りを付与する、または柔軟化する、またはクリーニングする、または静電気蓄積を低減する）ことができる。SWCCAは上から投入する洗濯機、または前から投入する洗濯機で使用し得る。SWCCAは熱水、温水、または冷水中で使用し得る。SWCCAは洗浄サイクル中に洗剤と共に、または別々であるが洗剤と組み合わせて（例えば、別々の洗浄またはすすぎサイクル中に）使用し得る。SWCCAはクリーニング剤組成物中で使用し得る。SWCCA（またはSTTC）で処理した繊維は、任意に、処理を必要とし得る。
【０３４５】
SWCCAの作製法
SWCCAは、任意の公知の方法で作製し得る。SWCCAは、例えば、非イオン性界面活性剤を（任意にSWCCA中の成分の1つ、または2つ、または3つ、または4つ、または5つ、またはすべての存在下で）非イオン性界面活性剤が融解するまで加熱し、次いで追加の成分を添加および/または混合することによって作製し得る。
【０３４６】
いくつかの態様において、非イオン性界面活性剤を布地コンディショニング剤および可塑剤と混和し、加熱して融解物を生成し、任意に混合する。次いで、着色剤、着色剤安定化剤、または芳香剤などの追加の成分を任意に加えて、混和する。混和物を冷却する。任意に、加熱した混和物をポリマーフィルムに少量で繰り返し滴下し、次いで冷却し、任意にポリマーフィルムから取り除き、それにより香錠を生成する。
【０３４７】
いくつかの態様において、SWCCAは錠剤の形態であり得、これらは単位用量であり得る。これらを作製するために、例えば、SWCCA中の成分を一緒に、例えば、室温で混和し、圧縮して錠剤を生成する。より大きい錠剤のために、成分の混合物に崩壊剤を加えた後、混合物を圧縮して錠剤とすることが好ましい。混和物は、例えば、乾燥粉末混和物であり得る。
【０３４８】
錠剤化は、任意の公知の錠剤圧縮機、例えば、回転錠剤圧縮機を用いて行い得る。錠剤化圧縮力は、例えば、約1,000ポンドから約15,000ポンドの範囲であり得る。錠剤化圧縮力は、例えば、約2,000ポンド、約3,000ポンド、約4,000ポンド、約5,000ポンド、約6,000ポンド、約7,000ポンド、約8,000ポンド、約9,000ポンド、約10,000ポンド、約11,000ポンド、約12,000ポンド、約13,000ポンド、または約14,000ポンドであり得る。
【０３４９】
単位用量
いくつかの態様において、本明細書に記載の単一区画単位用量製品形式などの単位用量を生成するために、本明細書において列挙する任意の成分を、本明細書において開示する任意の様式で組み合わせて圧縮し得る。
【０３５０】
代表的な単位用量の調合物は、例えば：調合物の総重量に基づき、25重量％粉糖10×；3.76重量％ポリマーLR400、1重量％ステアリン酸ナトリウム、1重量％DISINTEX 75、3重量％PVP-K15、62.05重量％硫酸ナトリウム、4.18重量％香料、および0.001重量％Acid Blue 80であり得る。単位用量は、例えば、約10gから約20g、または約12g、または約14g、または約16g、または約17g、または約19gのその調合物を含み得る。
【０３５１】
別の代表的な単位用量の調合物は、例えば、約94重量％のYPSを伴う天日塩（Morton）、約3.08重量％のHigh Five ACM 190991 F芳香剤（Firmenich）、約0.77重量％のSuper Soft Pop 190870芳香剤（Firmenich）、約0.005％のAcid Blue 80染料、および約1.75重量％のZeofree(登録商標) 5161流動性補助剤（Huber）であり得る。
【０３５２】
別の代表的な単位用量の調合物は、例えば、約91重量％のYPSを伴う天日塩（Morton）、約2.91重量％のHigh Five ACM 190991 F芳香剤（Firmenich）、約0.73重量％のSuper Soft Pop 190870芳香剤（Firmenich）、約0.004％のAcid Blue 80染料、約2.84重量％のZeofree(登録商標) 5161流動性補助剤（Huber）、および約2.4重量％の水であり得る。
【０３５３】
液体の繊維処理組成物（「LTTC」）
いくつかの態様において、液体の繊維処理組成物（「LTTC」）を提供する。
【０３５４】
LTTCは、例えば、1種または複数種のポリエチレングリコール（「PEG」）、1種または複数種のアルコール、1種または複数種の布地コンディショニング剤、水、任意に1種または複数種の着色剤、および任意に1種または複数種の香料を含み得る。
【０３５５】
PEG
PEGは本明細書において開示している。1種または複数種のPEGは限定されず、例えば、PEG 100、PEG 200、PEG 300、PEG 400、PEG 500、PEG 600、PEG 700、PEG 800、PEG 900、PEG 1,000、PEG 2,000、PEG 3,000、PEG 4,000、PEG 5,000、PEG 6,000、PEG 7,000、PEG 8,000、PEG 9,000、またはPEG 1,000であり得る。
【０３５６】
LTTC中に含まれる1種または複数種のPEGの総量は、例えば、LTTCの総重量に基づき、約65重量％から約80重量％の範囲であり得る。1種または複数種のPEGの総量は、例えば、LTTCの総重量に基づき、約66重量％、約67重量％、約68重量％、約69重量％、約70重量％、約71重量％、約72重量％、約73重量％、約74重量％、約75重量％、約76重量％、約77重量％、約78重量％、または約79重量％であり得る。
【０３５７】
アルコール
LTTCは、例えば、1種または複数種のアルコールを含み得る。1種または複数種のアルコールは、例えば、1種または複数種のポリオールであり得る。1種または複数種のポリオールは、例えば、グリセロール、キシリトール、D-キシロース、L-キシロース、エリスリトール、マルチトール、マンニトール、ソルビトール、またはそれらの任意の組み合わせであり得る。
【０３５８】
LTTCは、例えば、LTTCの総重量に基づき、約1重量％から約5重量％の総量の、1種または複数種のアルコールの総量を含み得る。1種または複数種のアルコールの総量は、例えば、LTTCの総重量に基づき、約1.5重量％、約2重量％、約2.5重量％、約3重量％、約3.5重量％、約4重量％、約4.5重量％、または約5重量％であり得る。
【０３５９】
水
LTTCは水を、例えば、LTTCの総重量に基づき、約5重量％から約12重量％の総量で含みうる。水の総量は、例えば、LTTCの総重量に基づき、約5重量％、約5.5重量％、約6.0重量％、約6.5重量％、約7重量％、約7.5重量％、約8重量％、約8.5重量％、約9重量％、約9.5重量％、約10重量％、約10.5重量％、約11重量％、または約11.5重量％であり得る。
【０３６０】
布地コンディショニング剤
LTTCは、例えば、本明細書に開示する1種または複数種の布地コンディショニング剤を含み得る。布地コンディショニング剤の総量は、例えば、LTTCの総重量に基づき、約10重量％から約25重量％の範囲であり得る。
【０３６１】
布地コンディショニング剤はLTTC中に、例えば、LTTCの総重量に基づき、約10重量％から約25重量％、約10重量％から約20重量％、約10重量％から約15重量％、約15重量％から約25重量％、約20重量％から約25重量％、約10重量％から約20重量％、または約15重量％から約20重量％の総量で含まれ得る。
【０３６２】
布地コンディショニング剤はLTTC中に、例えば、LTTCの総重量に基づき、約10重量％、約12重量％、約15重量％、約16重量％、約17重量％、約18重量％、約19重量％、約20重量％、約21重量％、約22重量％、約23重量％、または約24重量％の総量で含まれ得る。
【０３６３】
布地コンディショニング剤は、前述のカチオン界面活性剤またはポリマーまたは布地柔軟剤を含み得る。
【０３６４】
着色剤
LTTCは任意に本明細書に開示する1種または複数種の着色剤を含み得る。LTTC中に含まれ得る1種または複数種の着色剤の総量は、例えば、LTTCの総重量に基づき、約0.0005重量％から約0.0100重量％の範囲であり得る。
【０３６５】
着色剤安定化剤
いくつかの態様において、LTTCは任意に本明細書に開示する1種または複数種の着色剤安定化剤を含み得る。いくつかの態様において、着色剤安定化剤はクエン酸であり得る。
【０３６６】
LTTC中に任意に存在する着色剤安定化剤の総量は、例えば、LTTCの総重量に基づき、約0.0005重量％から約0.25重量％の範囲であり得る。
【０３６７】
香料
いくつかの態様において、LTTCは任意に本明細書に開示し、当業者には公知の、1種または複数種の香料を含み得る。1種または複数種の香料すべてのうち一部は任意に、例えば、マイクロカプセルまたはナノカプセル中にカプセル化し得る。
【０３６８】
LTTC中に任意に存在する香料の総量は、例えば、LTTCの総重量に基づき、約3.500重量％から約11.00重量％の範囲であり得る。
【０３６９】
他の成分
LTTCは任意に本明細書に開示する他の成分を含み得る。LTTC中に任意に存在する他の成分の総量は、例えば、LTTCの総重量に基づき、約0.0120重量％から約0.2500重量％の範囲であり得る。
【０３７０】
使用法
LTTCを用いて繊維を処理する（すなわち、続く乾燥中に、香りを付与する、または柔軟化する、またはクリーニングする、または静電気蓄積を低減する）ことができる。LTTCは上から投入する洗濯機、または前から投入する洗濯機で使用し得る。LTTCは熱水、温水、または冷水中で使用し得る。LTTCは洗剤と共に、または別々であるが洗剤と組み合わせて（例えば、別々の洗浄またはすすぎサイクル中に使用し得る。LTTCはクリーニング剤組成物中で使用し得る。LTTCで処理した繊維、またはLTTCを含むクリーニング剤組成物は、任意に、処理を必要とし得る。
【０３７１】
LTTCの作製法
LTTCは、任意の公知の方法で作製し得る。LTTCは、例えば、任意にアルコール、PEG、布地コンディショニング剤、および水を加熱および混合することにより作製し得る。例えば、室温で、または任意に、例えば、60、70、80、90、もしくは100度Fで加熱しながら混合した後、任意の残りの成分（例えば、香料、着色剤）を混合しながら加える。得られたLTTCを、次いで、室温まで冷却する。
【０３７２】
処理した繊維
本発明の1つの態様において、STTCまたはSWCCAまたはLTTCによって処理した繊維を提供する。
【０３７３】
繊維を処理する行為は、例えば：i）香料を繊維に適用すること；ii）繊維を柔軟化すること；iii）香料を繊維に適用し、繊維を柔軟化すること；iv）繊維をクリーニングすること；v）繊維を乾燥中の静電気蓄積に対して抵抗性にすること；もしくはvi）繊維をクリーニングし、香料を繊維に適用し、繊維を柔軟化し、繊維を乾燥中の静電気蓄積に対して抵抗性にすること；またはそれらの任意の組み合わせの1つまたは複数を意味し得る。
【０３７４】
繊維を静電気蓄積に対して抵抗性にする（例えば、処理した繊維のその後の乾燥中の静（電気）を低減する）場合、繊維の処理は未処理の対照繊維に比べて、乾燥中の電荷蓄積のナノクーロン数を、例えば、約40％から約80％の量で低減し得る。低減の量は、例えば、約45％、約50％、約55％、約60％、約65％、約70％、または約75％であり得る。
【０３７５】
繊維は、処理後に、例えば、乾燥、圧迫、アイロン仕上げ、湯のし、縫製などによってさらに加工してもよい。
【０３７６】
繊維は処理を必要とし得る。
【０３７７】
以下の実施例は例示であり、特許請求の範囲の開示の範囲を限定するものではない。
【実施例】
【０３７８】
実施例1：香料含有固体の繊維処理組成物の生成
13gのポリエチレングリコール8000（「PEG 8000」）を、撹拌装置を備えた加熱容器内で融解させた。融解したPEG 8000に、0.25gのクエン酸、2.25gの香料（Mayflowers TD 485531 EB（Firmenich））、および0.00650gのMilliken Liquitint(登録商標) Royal MC着色剤を、撹拌しながら加え、均質に混合された融解コーティング混合物を生成した。
【０３７９】
融解コーティング混合物を79.494gのKleer Salt（Morton）顆粒上に注いだ。塩顆粒および融解コーティング混合物を撹拌し、それによりコーティングした塩顆粒を得た。
【０３８０】
次いで、コーティングした塩顆粒を、コーティングが粘着性のままであるように冷却し、5.00gの硫酸ナトリウム粉末をコーティングした顆粒の外部コーティング表面に適用して、固体の繊維処理組成物を得た。
【０３８１】
実施例2：香料および布地柔軟剤を含有する固体の繊維処理組成物の生成
13gのポリエチレングリコール8000（「PEG 8000」）を、撹拌装置を備えた加熱容器内で融解させた。融解したPEG 8000に、0.25gのクエン酸、2.40gの香料（High Five ACM 190991（Firmenich））、および0.00650gのMilliken Liquitint(登録商標) Royal MC着色剤を、撹拌しながら加え、均質に混合された融解コーティング混合物を生成した。
【０３８２】
融解コーティング混合物を79.354gのプレッツェルソルト（Morton）顆粒上に注いだ。塩顆粒および融解コーティング混合物を撹拌し、それによりコーティングした塩顆粒を得た。
【０３８３】
次いで、コーティングした塩顆粒を、コーティングが粘着性のままであるように冷却し、2.75gの硫酸ナトリウムおよび2.24gのカチオンポリマーUCARE LR-400、カチオンHECポリマーをコーティングした顆粒の外部コーティング表面に適用して、固体の繊維処理組成物を得た。
【０３８４】
実施例3：香錠の形態のSWCCAの生成
ブロックコポリマー（PLURONIC F-38）を布地コンディショニング剤（ARMOSOFT TWS-1）および可塑剤混合物（モノステアリン酸グリセリルおよびモノステアリン酸PEG-100）と混合し、混合物を約133°Fに加熱した。混合物は融解した。着色剤および香料を融解した混合物に加え、混合し、次いで混合物をポリマーフィルム上に少量で繰り返し滴下して、液滴を生成した。液滴を硬化させて香錠を生成し、次いでこれらをポリマーフィルムから取り除いた。一緒に混和した成分（調合物1〜3）の量を以下の表に示す（QAは調合物を100重量％とするために着色剤および芳香剤で品質調節したことを意味する）：
2014529693.tif 000007
【０３８５】
実施例4：LTTCの生成
ポリエチレングリコール200、グリセリン、およびARMOSOFT TWS-1を加熱しながら混合した。約10分後、水、着色剤、および香料を加えた。得られた溶液を室温まで冷却した。LTTC調合物の内容を以下の表に示す（QAは調合物を100重量％とするために着色剤および芳香剤で品質調節したことを意味する）：
2014529693.tif 000008
【０３８６】
実施例5：単位用量の錠剤の調製およびその溶解性試験
単位用量の錠剤を、以下の成分を9000ポンドの力で圧縮することにより調製して、錠剤を生成した：
2014529693.tif 000009
【０３８７】
合計24錠を作製した。各錠剤の重量は約17gであった。
【０３８８】
代表的な錠剤の水溶性を以下のとおりに試験した：17gの錠剤を68度Fの温度の水700gに入れた。錠剤は2分15秒で溶解した。
【０３８９】
実施例6：単位用量の固体芳香増強剤の調製
芳香増強剤STTCの単位用量パケットを、以下の成分を混合することにより調製した：
2014529693.tif 000010
【０３９０】
関連する調合物において、芳香増強剤の単位用量パケットを、以下の成分を混合することにより調製した：
2014529693.tif 000011
【０３９１】
調合後、芳香剤を送達するSTTCを単一区画PVOH膜パケットに、本明細書の他所に記載のとおり、Cloudの機械および方法を用いて包装した。関連するそのような態様において、芳香剤を送達するSTTCを、洗剤含有調合物も含む単位用量容器に入れた。これらの単位用量のSTTCは、洗浄サイクルの初めに単位用量のSTTCを衣類と共に洗浄室に入れることにより布地に芳香剤を送達するのに適している。
【０３９２】
実施例7：繊維を柔軟化する能力の試験
Nucybertek製の風合い計測器Phabrometer Instrumentを用いて、柔軟化能力を試験した。
【０３９３】
12の綿編物の重複布地片（円形）を、4つの独立の布ぎれから作製した。5ポンドのバラストを布ぎれの各洗浄に加えた。布ぎれ（布ぎれあたり3重複）およびバラストをセル内でAll Free Clear洗剤を用いて洗浄した。ARMOSOFT-TWS-1含有調合物をセル1〜3の洗浄サイクルに加えたが、セル4（対照セル）には加えなかった。主観的試験のために、テリータオルも洗浄セルに入れた。
【０３９４】
下記は、調合物の総重量に基づき、重量％で示した調合物中のARMOSOFT-TWS-1の量である：
2014529693.tif 000012
【０３９５】
各セルの設定は以下のとおりであった：
2014529693.tif 000013
【０３９６】
各運転の後、洗浄したタオルを60分間乾燥した。乾燥した布ぎれをPhabrometerで、個別に圧迫して開口部を通過させる一方、手の触感（例えば、柔軟性）を測定および/または計算することにより評価した。
【０３９７】
反応柔軟性は、調合物中のARMOSOFT-TWS-1の重量％に基づき、以下のとおりであることが判明した：
2014529693.tif 000014
【０３９８】
同じ文字で連結していないレベルは有意に異なる。
【０３９９】
結果は、ARMOSOFT-TWS-1を20％包含すると、Phabrometerにより感知して、柔軟化に統計学的な差が見られたことを示している。15％包含レベルでは、柔軟化の改善の傾向が見られたが、未処理と比べて統計学的差はなかった。10％包含レベルでは、Phabrometerによりいかなる柔軟化反応も見られなかった。
【０４００】
本明細書において言及するすべての出版物、特許、および特許出願はその全体が参照により本明細書に組み入れられる。
【図１】
2014529693.tif 000015
【国際調査報告】
2014529693.tif 000016
2014529693.tif 000017
2014529693.tif 000018